(57)【要約】【課題】三相交流同期電動機の駆動装置５０において中性点電流ｉｎを求めて、その中性点電流ｉｎを用いてインバータ回路を介して三相交流同期電動機を駆動する。【解決手段】駆動装置５０は、インバータ回路２０の正極母線２２に接続されているトランジスタＳＷ１、ＳＷ２、ＳＷ３のうち、オンしているトランジスタの個数が０であると判定し、インバータ回路２０の負極母線２１に接続されているトランジスタＳＷ４、ＳＷ５、ＳＷ６のうち、オンしているトランジスタの個数が３であると判定する。このとき、抵抗素子４０ａに中性点電流（−ｉｎ）が流れる。そこで、抵抗素子４０ａに流れる電流を中性点電流（−ｉｎ）として取得する。【選択図】図１１
2010193699.tif 000002
【特許請求の範囲】
【請求項１】
Ｎ個のコイルがスター結線されて中性点（１ｘ）を有するステータコイル（１）から発生する回転磁界によりロータを回転させる交流同期電動機に適用され、
直列接続された一対のスイッチング素子（ＳＷ１、ＳＷ２、…ＳＷ６）が相毎に設けられ、正極母線（２２）と負極母線（２１）との間に前記相毎の前記一対のスイッチング素子が並列接続されているインバータ回路（２０）と、
前記正極母線（２２）と前記中性点（１ｘ）との間に接続されているコンデンサ（３０）と、を備え、
前記インバータ回路（２０）は、前記相毎の前記一対のスイッチング素子のスイッチング動作に伴って、前記負極母線（２１）と前記中性点（１ｘ）との間に接続されている直流電源（３）の出力電圧と前記コンデンサ（３０）の出力電圧とに基づいて、前記ステータコイル（１）に交流電流を出力して前記ステータコイル（１）から前記回転磁界を発生させるように構成された交流同期電動機の駆動装置であって、
前記コンデンサ（３０）のプラス電極と前記正極母線（２２）との間に流れる電流と、前記直流電源（３）のマイナス電極と前記負極母線との間に流れる電流とのうち少なくとも一方の電流を検出する電流検出手段（４０ａ、４０ｂ、４７ａ、４７ｂ）と、
前記相毎の前記一対のスイッチング素子のスイッチング動作モードに応じて、前記中性点（１ｘ）と前記直流電源（３）のプラス電極との間に流れる中性点電流を、前記電流検出手段（４０ａ、４０ｂ、４７ａ、４７ｂ）の検出電流として取得し、前記中性点電流を用いて前記インバータ回路（２０）を介して前記交流同期電動機を駆動する駆動手段（Ｓ２００）と、を備えることを特徴とする交流同期電動機の駆動装置。
【請求項２】
前記電流検出手段（４０ａ、４７ａ）は、前記負極母線（２１）と前記直流電源（３）のマイナス電極との間に流れる電流を検出し、
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）を備え、
前記第１の判定手段（Ｓ３１０）が前記条件を満たしていると判定したときには、前記電流検出手段（４０ａ、４７ａ）の検出電流として前記中性点電流を取得することを特徴とする請求項１に記載の交流同期電動機の駆動装置。
【請求項３】
前記電流検出手段（４０ａ、４７ａ）は、前記負極母線（２１）と前記直流電源（３）のマイナス電極との間に流れる電流を検出し、
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得することを特徴とする請求項１に記載の交流同期電動機の駆動装置。
【請求項４】
前記電流検出手段（４０ｂ、４７ｂ）は、前記正極母線（２２）と前記コンデンサ（３０）のプラス電極との間に流れる電流を検出し、
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第１の判定手段（Ｓ３１５）を備え、
前記第１の判定手段（Ｓ３１５）が前記条件を満たしていると判定したときには、前記電流検出手段（４０ｂ、４７ｂ）の検出電流として前記中性点電流を取得することを特徴とする請求項１に記載の交流同期電動機の駆動装置。
【請求項５】
前記電流検出手段（４０ｂ、４７ｂ）は、前記正極母線（２２）と前記コンデンサ（３０）のプラス電極との間に流れる電流を検出し、
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第２の判定手段（Ｓ３３０）を備え、
前記第２の判定手段（Ｓ３３０）が前記条件を満たしていると判定したときには、前記中性点電流と前記Ｎ個のコイルのうちいずれか１つのコイルに流れる相毎の相電流とを足した電流を前記電流検出手段（４０ｂ、４７ｂ）の検出電流として取得し、前記電流検出手段（４０ｂ、４７ｂ）の検出電流をＮ相分取得することを特徴とする請求項１に記載の交流同期電動機の駆動装置。
【請求項６】
前記中性点（１ｘ）と前記直流電源（３）のプラス電極との間に配置され、前記中性点（１ｘ）と前記直流電源（３）のプラス電極との間に流れる電流を検出する中性点電流検出手段（４０ｃ、４７ｃ）を備え、
前記駆動手段は、前記中性点電流検出手段（４０ｃ、４７ｃ）により検出された電流も前記中性点電流として用いることを特徴とする請求項１に記載の交流同期電動機の駆動装置。
【請求項７】
前記電流検出手段は、前記負極母線（２１）と前記直流電源（３）のマイナス電極との間に流れる電流を検出する負極側電流検出手段（４０ａ、４７ａ）であり、
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記負極側電流検出手段（４０ａ、４７ａ）の検出電流として取得し、前記負極側電流検出手段（４０ａ、４７ａ）の検出電流をＮ相分取得するものであることを特徴とする請求項６に記載の交流同期電動機の駆動装置。
【請求項８】
前記電流検出手段は、前記正極母線（２２）と前記コンデンサ（３０）のプラス電極との間に流れる電流を検出する正極側電流検出手段（４０ｂ、４７ｂ）であり、
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第２の判定手段（Ｓ３３０）を備え
前記第２の判定手段（Ｓ３３０）が前記条件を満たしていると判定したときには、前記中性点電流と前記Ｎ個のコイルのうちいずれか１つのコイルに流れる相毎の相電流とを足した電流を前記正極側電流検出手段（４０ｂ、４７ｂ）の検出電流として取得し、前記正極側電流検出手段（４０ｂ、４７ｂ）の検出電流をＮ相分取得することを特徴とする請求項６に記載の交流同期電動機の駆動装置。
【請求項９】
Ｎ個のコイルがスター結線されて中性点（１ｘ）を有するステータコイル（１）から発生する回転磁界によりロータを回転させる交流同期電動機に適用され、
直列接続された一対のスイッチング素子（ＳＷ１、ＳＷ２、…ＳＷ６）が相毎に設けられ、正極母線（２２）と負極母線（２１）との間に前記相毎の前記一対のスイッチング素子が並列接続されているインバータ回路（２０）と、
前記負極母線（２１）と前記中性点（１ｘ）との間に接続されているコンデンサ（３０）と、を備え、
前記インバータ回路（２０）は、前記相毎の前記一対のスイッチング素子のスイッチング動作に伴って、前記正極母線（２０）と前記中性点（１ｘ）との間に接続されている直流電源（３）の出力電圧と前記コンデンサ（３０）の出力電圧とに基づいて、前記ステータコイル（１）に交流電流を出力して前記ステータコイル（１）から前記回転磁界を発生させるように構成された交流同期電動機の駆動装置であって、
前記コンデンサ（３０）のマイナス電極と前記負極母線（２１）との間に流れる電流と、前記直流電源（３）のプラス電極と前記正極母線（２２）との間に流れる電流とのうち少なくとも一方の電流を検出する電流検出手段（４０ａ、４０ｂ、４７ａ、４７ｂ）と、
前記相毎の前記一対のスイッチング素子のスイッチング動作モードに応じて、前記中性点（１ｘ）と前記直流電源（３）のマイナス電極との間に流れる中性点電流を、前記電流検出手段（４０ａ、４０ｂ、４７ａ、４７ｂ）の検出電流として取得し、前記中性点電流を用いて前記インバータ回路（２０）を介して前記交流同期電動機を駆動する駆動手段（Ｓ２００）と、を備えることを特徴とする交流同期電動機の駆動装置。
【請求項１０】
前記電流検出手段（４０ａ、４０ｂ、４７ａ、４７ｂ）は、前記負極母線（２１）と前記コンデンサ（３０）のマイナス電極との間に流れる電流を検出し、
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）と、を備え、
前記第１の判定手段（Ｓ３１０）が前記条件を満たしていると判定したときには、前記電流取得手段（４０ａ、４７ａ）の検出電流として前記中性点電流を取得することを特徴とする請求項９に記載の交流同期電動機の駆動装置。
【請求項１１】
前記電流検出手段（４０ａ、４０ｂ、４７ａ、４７ｂ）は、前記負極母線（２１）と前記コンデンサ（３０）のマイナス電極との間に流れる電流を検出し、
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記電流取得手段（４０ａ、４７ａ）の検出電流として取得し、前記電流取得手段（４０ａ、４７ａ）の検出電流をＮ相分取得するものであることを特徴とする請求項９に記載の交流同期電動機の駆動装置。
【請求項１２】
前記電流検出手段（４０ｂ、４７ｂ）は、前記正極母線（２２）と前記直流電源（３）のプラス電極との間に流れる電流を検出し、
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第１の判定手段（Ｓ３１５）を備え、
前記第１の判定手段（Ｓ３１５）が前記条件を満たしていると判定したときには、前記電流検出手段（４０ｂ、４７ｂ）の検出電流として前記中性点電流を取得することを特徴とする請求項９に記載の交流同期電動機の駆動装置。
【請求項１３】
前記電流検出手段は、前記正極母線（２２）と前記直流電源（３）のプラス電極との間に流れる電流を検出する正極側電流検出手段（４０ｂ、４７ｂ）であり、
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第２の判定手段（Ｓ３３０）と、
前記第２の判定手段（Ｓ３３０）が前記条件を満たしていると判定したときには、前記中性点電流と前記Ｎ個のコイルのうちいずれか１つのコイルに流れる相毎の相電流とを足した電流を前記正極側電流検出手段（４０ｂ、４７ｂ）の検出電流として取得し、前記正極側電流検出手段（４０ｂ、４７ｂ）の検出電流をＮ相分取得することを特徴とする請求項９に記載の交流同期電動機の駆動装置。
【請求項１４】
前記中性点（１ｘ）と前記直流電源（３）のマイナス電極との間に配置され、前記中性点（１ｘ）と前記直流電源（３）のマイナス電極との間に流れる電流を検出する中性点電流検出手段（４０ｃ、４７ｃ）を備え、
前記駆動手段は、前記中性点電流検出手段（４０ｃ、４７ｃ）により検出された電流も前記中性点電流として用いることを特徴とする請求項９に記載の交流同期電動機の駆動装置。
【請求項１５】
前記電流取得手段は、前記負極母線（２１）と前記コンデンサ（３０）のマイナス電極との間に流れる電流を検出する負極側電流取得手段（４０ａ、４７ａ）であり、
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記負極側電流取得手段（４０ａ、４７ａ）の検出電流として取得し、前記負極側電流取得手段（４０ａ、４７ａ）の検出電流をＮ相分取得することを特徴とする請求項１４に記載の交流同期電動機の駆動装置。
【請求項１６】
前記電流検出手段は、前記正極母線（２２）と前記直流電源（３）のプラス電極との間に流れる電流を検出する正極側電流検出手段（４０ｂ、４７ｂ）であり、
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第２の判定手段（Ｓ３３０）を備え、
前記第２の判定手段（Ｓ３３０）が前記条件を満たしていると判定したときには、前記中性点電流と前記Ｎ個のコイルのうちいずれか１つのコイルに流れる相毎の相電流とを足した電流を前記正極側電流検出手段（４０ｂ、４７ｂ）の検出電流として取得し、前記正極側電流検出手段（４０ｂ、４７ｂ）の検出電流をＮ相分取得することを特徴とする請求項１４に記載の交流同期電動機の駆動装置。
【請求項１７】
前記Ｎ相分の検出電流に含まれる前記中性点電流を前記電流検出手段により取得された前記中性点電流に基づいて前記相毎に除いて前記Ｎ相分の前記相電流を算出する相電流算出手段（Ｓ４１０）を備え、
前記駆動手段（Ｓ２００）は、前記相電流算出手段（Ｓ４１０）により算出された前記Ｎ相分の前記相電流を用いて、前記インバータ回路（２０）を介して前記交流同期電動機を駆動することを特徴とする請求項３、５、７、８、１１、１３、１５、１６のうちいずれか１つに記載の交流同期電動機の駆動装置。
【請求項１８】
前記負極母線（２１）と前記直流電源（３）のマイナス電極との間に流れる電流を検出する負極側電流検出手段（４０ａ、４７ａ）と、
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）と、
前記第１の判定手段（Ｓ３１０）が前記条件を満たしていると判定したときには、前記負極側電流検出手段の検出電流（４０ａ、４７ａ）として、前記中性点と前記直流電源（３）のプラス電極との間に流れる中性点電流を取得する第１の中性点電流取得手段（Ｓ４４３）と、
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第２の判定手段（Ｓ３３０）と、
前記正極母線（２２）と前記コンデンサ（３０）のプラス電極との間に流れる電流を検出する正極側電流検出手段（４０ｂ、４７ｂ）と、
前記第２の判定手段（Ｓ３３０）が前記条件を満たしていると判定したときには、前記正極側電流検出手段（４０ｂ、４７ｂ）の検出電流として前記中性点電流を取得する第２の中性点電流取得手段（Ｓ４４７）と、
前記第１、第２の中性点電流取得手段（Ｓ４４３、Ｓ４４７）のうちいずれか一方により取得された中性点電流を用いて、前記インバータ回路（２０）を介して前記交流同期電動機を駆動する駆動手段（Ｓ２００）と、
を備えることを特徴とする請求項１に記載の交流同期電動機の駆動装置。
【請求項１９】
前記負極母線（２１）と前記コンデンサ（３０）のマイナス電極との間に流れる電流を検出する負極側電流検出手段（４０ａ、４７ａ）と、
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）と、
前記第１の判定手段（Ｓ３１０）が前記条件を満たしていると判定したときには、前記負極側電流検出手段（４０ａ、４７ａ）の検出電流として、前記中性点と前記直流電源（３）のマイナス電極との間に流れる中性点電流を取得する第１の中性点電流取得手段（Ｓ４４３）と、
前記正極母線（２２）と前記直流電源（３）のプラス電極との間に流れる電流を検出する正極側電流検出手段（４０ｂ、４７ｂ）と、
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第２の判定手段（Ｓ３３０）と、
前記第２の判定手段（Ｓ３３０）が前記条件を満たしていると判定したときには、前記正極側電流検出手段（４０ｂ、４７ｂ）の検出電流として前記中性点電流を取得する第２の中性点電流取得手段（Ｓ４４７）と、
前記第１、第２の中性点電流取得手段（Ｓ４４３、Ｓ４４７）のうちいずれか一方により取得された中性点電流を用いて、前記インバータ回路（２０）を介して前記交流同期電動機を駆動する駆動手段（２００）と、を備えることを特徴とする請求項９に記載の交流同期電動機の駆動装置。
【請求項２０】
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第３の判定手段（Ｓ３２０）を備え、
前記第３の判定手段（Ｓ３２０）が前記条件を満たしていると判定したときには、前記中性点電流と前記Ｎ個のコイルのうちいずれか１つのコイルに流れる相毎の相電流とを足した電流を前記負極側電流検出手段（４０ａ、４７ａ）の検出電流として取得し、前記負極側電流検出手段（４０ａ、４７ａ）の検出電流をＮ相分取得することを特徴とする請求項１８または１９に記載の交流同期電動機の駆動装置。
【請求項２１】
前記第１の中性点電流取得手段により取得された中性点電流と前記第２の中性点電流取得手段により取得された中性点電流とのうちいずれか一方を選択する選択手段（Ｓ６２０）と、
前記Ｎ相分の検出電流に含まれる前記中性点電流を前記選択手段（Ｓ６２０）により選択された一方の中性点電流に基づいて前記相毎に除いて前記Ｎ相分の前記相電流を算出する相電流算出手段（Ｓ６３０）と、を備え、
前記駆動手段（Ｓ２００）は、前記相電流算出手段（Ｓ６３０）により算出された前記Ｎ相分の前記相電流を用いて、前記インバータ回路（２０）を介して前記交流同期電動機を駆動することを特徴とする請求項２０に記載の交流同期電動機の駆動装置。
【請求項２２】
前記選択手段（６２０）は、前記第１、第２の中性点電流取得手段によりそれぞれ取得された中性点電流のうち前記一方の中性点電流として、前記負極側電流検出手段（４０ａ、４７ａ）の検出電流を取得したタイミングに近いタイミングで取得された電流を、選択することを特徴とする請求項２１に記載の交流同期電動機の駆動装置。
【請求項２３】
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第３の判定手段（Ｓ３３０）を備え、
前記第３の判定手段（Ｓ３３０）が前記条件を満たしていると判定したときには、前記中性点電流と前記Ｎ個のコイルのうちいずれか１つのコイルに流れる相毎の相電流とを足した電流を前記正極側電流検出手段（４０ｂ、４７ｂ）の検出電流として取得し、前記正極側電流検出手段（４０ｂ、４７ｂ）の検出電流をＮ相分取得することを特徴とする請求項１８または１９に記載の交流同期電動機の駆動装置。
【請求項２４】
前記第１の中性点電流取得手段により取得された中性点電流と前記第２の中性点電流取得手段により取得された中性点電流とのうちいずれか一方を選択する選択手段（Ｓ６２０）と、
前記Ｎ相分の検出電流に含まれる前記中性点電流を前記選択手段（６２０）により選択された一方の中性点電流に基づいて前記相毎に除いて前記Ｎ相分の前記相電流を算出する相電流算出手段（Ｓ６３０）と、を備え、
前記駆動手段（Ｓ２００）は、前記相電流算出手段（Ｓ６３０）により算出された前記Ｎ相分の前記相電流を用いて、前記インバータ回路（２０）を介して前記交流同期電動機を駆動することを特徴とする請求項２３に記載の交流同期電動機の駆動装置。
【請求項２５】
前記選択手段（Ｓ６２０）は、前記第１、第２の中性点電流取得手段によりそれぞれ取得された中性点電流のうち前記一方の検出電流として、前記正極側電流検出手段（４０ｂ、４７ｂ）の検出電流を取得したタイミングに近いタイミングで取得された電流を、選択することを特徴とする請求項２４に記載の交流同期電動機の駆動装置。
【請求項２６】
Ｎ個のコイルがスター結線されて中性点（１ｘ）を有するステータコイル（１）から発生する回転磁界によりロータを回転させる交流同期電動機に適用され、
直列接続された一対のスイッチング素子（ＳＷ１、ＳＷ２、…ＳＷ６）が相毎に設けられ、正極母線（２２）と負極母線（２１）との間に前記相毎の前記一対のスイッチング素子が並列接続されているインバータ回路（２０）と、
前記正極母線（２２）と前記負極母線（２１）との間に接続されているコンデンサ（３０）と、を備え、
前記インバータ回路（２０）は、前記相毎の前記一対のスイッチング素子のスイッチング動作に伴って、前記負極母線（２１）と前記中性点（１ｘ）との間に接続されている直流電源（３）の出力電圧と前記コンデンサ（３０）の出力電圧とに基づいて、前記ステータコイル（１）に交流電流を出力して前記ステータコイル（１）から前記回転磁界を発生させるように構成された交流同期電動機の駆動装置であって、
前記正極母線（２２）および前記負極母線（２１）のうち一方と前記コンデンサ（３０）との間に流れる電流を検出する電流検出手段（４０ａ、４７ａ）と、
前記相毎の前記一対のスイッチング素子のスイッチング動作モードに応じて、前記中性点（１ｘ）と前記直流電源（３）との間に流れる中性点電流を、前記電流検出手段（４０ａ、４７ａ）の検出電流として取得し、前記中性点電流を用いて前記インバータ回路（２０）を介して前記交流同期電動機を駆動する駆動手段（Ｓ２００）と、を備えることを特徴とする交流同期電動機の駆動装置。
【請求項２７】
前記負極母線（２１）と前記直流電源（３）のマイナス電極とが接続されていることを特徴とする請求項２６に記載の交流同期電動機の駆動装置。
【請求項２８】
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第１の判定手段（Ｓ３３０）を備え、
前記第１の判定手段（Ｓ３３０）が前記条件を満たしていると判定したときには、前記電流検出手段（４０ａ、４７ａ）の検出電流として前記中性点電流を取得することを特徴とする請求項２７に記載の交流同期電動機の駆動装置。
【請求項２９】
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第３の判定手段（Ｓ３３０）を備え、
前記第３の判定手段（Ｓ３３０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得し、この取得されたＮ相分の前記電流検出手段（４０ａ、４７ａ）の検出電流に基づいて前記駆動手段（Ｓ２００）が前記交流同期電動機を駆動することを特徴とする請求項２７または２８に記載の交流同期電動機の駆動装置。
【請求項３０】
前記中性点（１ｘ）と前記負極母線（２１）とのうちいずれか一方と前記直流電源（３）との間に配置され、前記中性点（１ｘ）と前記負極母線（２１）とのうちいずれか一方と前記直流電源（３）との間に流れる電流を検出する中性点電流検出手段（４０ｂ、４７ｂ）を備え、
前記駆動手段は、前記中性点電流検出手段（４０ｂ、４７ｂ）により検出された電流も前記中性点電流として用いて前記交流同期電動機を駆動することを特徴とする請求項２６ないし２９のいずれか１つに記載の交流同期電動機の駆動装置。
【請求項３１】
前記コンデンサ（３０）のマイナス電極と前記直流電源（３）のマイナス電極とが接続されていることを特徴とする請求項２６に記載の交流同期電動機の駆動装置。
【請求項３２】
前記電流検出手段（４０ａ、４７ａ）は、前記負極母線（２１）と前記コンデンサ（３０）のマイナス電極との間に配置されていることを特徴とする請求項３１に記載の交流同期電動機の駆動装置。
【請求項３３】
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ４５０）を備え、
前記第１の判定手段（Ｓ４５０）が前記条件を満たしていると判定したときには、前記電流検出手段（４０ａ、４７ａ）の検出電流として前記中性点電流を取得することを特徴とする請求項３２に記載の交流同期電動機の駆動装置。
【請求項３４】
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３９０）を備え、
前記第２の判定手段（Ｓ３９０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得し、この取得されたＮ相分の前記電流検出手段（４０ａ、４７ａ）の検出電流に基づいて前記駆動手段（Ｓ２００）が前記交流同期電動機を駆動することを特徴とする請求項３２または３３に記載の交流同期電動機の駆動装置。
【請求項３５】
前記中性点（１ｘ）と前記コンデンサ（３０）のマイナス電極とのうちいずれか一方と前記直流電源（３）との間に配置され、前記中性点（１ｘ）と前記コンデンサ（３０）のマイナス電極とのうちいずれか一方と前記直流電源（３）との間に流れる電流を検出する中性点電流検出手段（４０ｂ、４７ｂ）を備え、
前記駆動手段は、前記中性点電流検出手段（４０ｂ、４７ｂ）により検出された電流も前記中性点電流として用いて前記交流同期電動機を駆動することを特徴とする請求項３１ないし３４のいずれか１つに記載の交流同期電動機の駆動装置。
【請求項３６】
Ｎ個のコイルがスター結線されて中性点（１ｘ）を有するステータコイル（１）から発生する回転磁界によりロータを回転させる交流同期電動機に適用され、
直列接続された一対のスイッチング素子（ＳＷ１、ＳＷ２、…ＳＷ６）が相毎に設けられ、正極母線（２２）と負極母線（２１）との間に前記相毎の前記一対のスイッチング素子が並列接続されているインバータ回路（２０）と、
前記正極母線（２２）と前記負極母線（２１）との間に接続されているコンデンサ（３０）と、を備え、
前記インバータ回路（２０）は、前記相毎の前記一対のスイッチング素子のスイッチング動作に伴って、前記正極母線（２２）と前記中性点（１ｘ）との間に接続されている直流電源（３）の出力電圧と前記コンデンサ（３０）の出力電圧とに基づいて、前記ステータコイル（１）に交流電流を出力して前記ステータコイル（１）から前記回転磁界を発生させるように構成された交流同期電動機の駆動装置であって、
前記正極母線（２２）および前記負極母線（２１）のうち一方と前記コンデンサ（３０）との間に流れる電流を検出する電流検出手段（４０ａ、４７ａ）と、
前記相毎の前記一対のスイッチング素子のスイッチング動作モードに応じて、前記中性点（１ｘ）と前記直流電源（３）との間に流れる中性点電流を、前記電流検出手段（４０ａ、４７ａ）の検出電流として取得し、前記中性点電流を用いて前記インバータ回路（２０）を介して前記交流同期電動機を駆動する駆動手段（Ｓ２００）と、を備えることを特徴とする交流同期電動機の駆動装置。
【請求項３７】
前記正極母線（２２）と前記直流電源（３）のプラス電極とが接続されていることを特徴とする請求項３６に記載の交流同期電動機の駆動装置。
【請求項３８】
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）を備え、
前記第１の判定手段（Ｓ３１０）が前記条件を満たしていると判定したときには、前記電流検出手段（４０ａ、４７ａ）の検出電流として前記中性点電流を取得することを特徴とする請求項３７に記載の交流同期電動機の駆動装置。
【請求項３９】
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得し、この取得されたＮ相分の前記電流検出手段（４０ａ、４７ａ）の検出電流に基づいて前記駆動手段（Ｓ２００）が前記交流同期電動機を駆動することを特徴とする請求項３７または３８に記載の交流同期電動機の駆動装置。
【請求項４０】
前記中性点（１ｘ）と前記正極母線（２２）とのうちいずれか一方と前記直流電源（３）との間に配置され、前記中性点（１ｘ）と前記正極母線（２２）とのうちいずれか一方と前記直流電源（３）との間に流れる電流を検出する中性点電流検出手段（４０ｂ、４７ｂ）を備え、
前記駆動手段は、前記中性点電流検出手段（４０ｂ、４７ｂ）により検出された電流も前記中性点電流として用いて前記交流同期電動機を駆動することを特徴とする請求項３７ないし３９のいずれか１つに記載の交流同期電動機の駆動装置。
【請求項４１】
前記コンデンサ（３０）のプラス電極と前記直流電源（３）のプラス電極とが接続されていることを特徴とする請求項３６に記載の交流同期電動機の駆動装置。
【請求項４２】
前記電流検出手段（４０ａ、４７ａ）は、前記コンデンサ（３０）のプラス電極と前記正極母線（２２）との間に配置されていることを特徴とする請求項４１に記載の交流同期電動機の駆動装置。
【請求項４３】
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第１の判定手段（Ｓ３３０）を備え、
前記第１の判定手段（Ｓ３３０）が前記条件を満たしていると判定したときには、前記電流検出手段（４０ａ、４７ａ）の検出電流として前記中性点電流を取得することを特徴とする請求項４２に記載の交流同期電動機の駆動装置。
【請求項４４】
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第３の判定手段（Ｓ３３０）を備え、
前記第３の判定手段（Ｓ３３０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得し、この取得されたＮ相分の前記電流検出手段（４０ａ、４７ａ）の検出電流に基づいて前記駆動手段（Ｓ２００）が前記交流同期電動機を駆動することを特徴とする請求項４１ないし４３のいずれか１つに記載の交流同期電動機の駆動装置。
【請求項４５】
前記中性点（１ｘ）と前記コンデンサ（３０）のプラス電極とのうちいずれか一方と前記直流電源（３）との間に配置され、前記中性点（１ｘ）と前記コンデンサ（３０）のプラス電極とのうちいずれか一方と前記直流電源（３）との間に流れる電流を検出する中性点電流検出手段（４０ｂ、４７ｂ）を備え、
前記駆動手段は、前記中性点電流検出手段（４０ｂ、４７ｂ）により検出された電流も前記中性点電流として用いて前記交流同期電動機を駆動することを特徴とする請求項４１ないし４４のいずれか１つに記載の交流同期電動機の駆動装置。
【発明の詳細な説明】
【技術分野】
【０００１】
本発明は、スター結線されたステータコイルを備える交流同期電動機に適用される交流同期電動機の駆動装置に関するものである。
【背景技術】
【０００２】
従来、三相交流電動機の駆動装置では、例えば、特許文献１に示すように、三相交流電動機に三相交流電流を出力するインバータ回路と、インバータ回路を制御する制御回路とを備えるものがある。
【０００３】
インバータ回路は、６個のトランジスタを備えている。なお、以下、インバータ回路の構成の説明のために、６個のトランジスタをトランジスタＳＷ１、ＳＷ２、ＳＷ３、ＳＷ４、ＳＷ５、ＳＷ６とする。
【０００４】
トランジスタＳＷ１、ＳＷ４、及びトランジスタＳＷ２、ＳＷ５、及びトランジスタＳＷ３、ＳＷ６は、それぞれ正極母線と負極母線との間で直列接続されている。トランジスタＳＷ１、ＳＷ２、ＳＷ３は、正極母線に接続され、トランジスタＳＷ４、ＳＷ５、ＳＷ６は、負極母線に接続されている。
【０００５】
トランジスタＳＷ１、ＳＷ４の共通接続点は、三相交流電動機のステータコイルのＷ相コイルに接続されている。トランジスタＳＷ２、ＳＷ５の共通接続点は、ステータコイルのＶ相コイルに接続されている。トランジスタＳＷ３、ＳＷ６は、ステータコイルのＵ相コイルに接続されている。ステータコイルは、Ｕ相コイル、Ｖ相コイル、およびＷ相コイルがスター結線されたものである。インバータ回路の正極母線には、直流電源のプラス電極が接続され、負極母線には、直流電源のマイナス電極が接続されている。
【０００６】
インバータ回路の正極母線と直流電源のプラス電極との間には、インバータ回路から出力される三相交流電流を検出するための電流センサが接続されている。制御回路は、電流センサの検出電流値に基づいて、６個のトランジスタを制御して６個のトランジスタをスイッチング動作させる。これに伴い、インバータ回路は、正極母線と負極母線との間の電圧差に基づき上述した三つの共通接続点から三相交流電流を三相交流電動機に出力することになる。
【０００７】
ここで、６個のトランジスタのうちトランジスタＳＷ１、ＳＷ５、ＳＷ６がオンしているときには、インバータ回路からＷ相コイルに流れるＷ相電流が電流センサにより検出される。６個のトランジスタのうちトランジスタＳＷ２、ＳＷ４、ＳＷ６がオンしているときには、インバータ回路からＶ相コイルに流れるＶ相電流が電流センサにより検出される。６個のトランジスタのうちトランジスタＳＷ３、ＳＷ４、ＳＷ５がオンしているときには、インバータ回路からＵ相コイルに流れるＵ相電流が電流センサにより検出される。
【０００８】
そこで、制御回路は、上述の如く電流センサにより検出されるＷ相電流、Ｖ相電流、およびＵ相電流を三相交流電流とし、この三相交流電流に基づいて、インバータ回路を介して三相交流電動機を駆動する。
【先行技術文献】
【特許文献】
【０００９】
【特許文献１】特許２５６３２２６号公報
【発明の概要】
【発明が解決しようとする課題】
【００１０】
本発明者は、正極母線と負極母線との間に直流電源を接続した駆動装置ではなく、ステータコイルの中性点と負極母線との間に直流電源を接続した駆動装置について検討したところ、６個のトランジスタのうちトランジスタＳＷ１、ＳＷ５、ＳＷ６がオンしているときには、中性点と直流電源のプラス電極との間に流れる中性点電流とＷ相電流とを足した電流が電流センサにより検出されることが分かった。
【００１１】
同様に、ステータコイルの中性点と正極母線との間に直流電源を接続した駆動装置を構成した場合には、６個のトランジスタのうちトランジスタＳＷ１、ＳＷ５、ＳＷ６がオンしているときには、中性点と直流電源のプラス電極との間に流れる中性点電流とＷ相電流とを足した電流が電流センサにより検出されることが分かった。
【００１２】
本発明は、ステータコイルの中性点とインバータ回路の負極母線との間に直流電源を接続した交流同期電動機の駆動装置において、ステータコイルの中性点と直流電源のプラス電極との間に流れる中性点電流を用いて、インバータ回路を介して交流同期電動機を駆動することを第１の目的とする。
【００１３】
本発明は、ステータコイルの中性点とインバータ回路の正極母線との間に直流電源を接続した交流同期電動機の駆動装置において、ステータコイルの中性点と直流電源のマイナス電極との間に流れる中性点電流を用いて、インバータ回路を介して交流同期電動機を駆動することを第２の目的とする。
【課題を解決するための手段】
【００１４】
上記目的を達成するため、請求項１に記載の発明では、前記コンデンサ（３０）のプラス電極と前記正極母線（２２）との間に流れる電流と、前記直流電源（３）のマイナス電極と前記負極母線との間に流れる電流とのうち少なくとも一方の電流を検出する電流検出手段（４０ａ、４０ｂ、４７ａ、４７ｂ）と、
前記相毎の前記一対のスイッチング素子のスイッチング動作モードに応じて、前記中性点（１ｘ）と前記直流電源（３）のプラス電極との間に流れる中性点電流を、前記電流検出手段（４０ａ、４０ｂ、４７ａ、４７ｂ）の検出電流として取得し、前記中性点電流を用いて前記インバータ回路（２０）を介して前記交流同期電動機を駆動する駆動手段（Ｓ２００）と、を備えることを特徴とする。
【００１５】
これにより、中性点電流を取得することができ、この取得された中性点電流を用いて、インバータ回路を介して交流同期電動機を駆動することができる。
【００１６】
請求項２に係る発明では、前記電流検出手段（４０ａ、４７ａ）は、前記負極母線（２１）と前記直流電源（３）のマイナス電極との間に流れる電流を検出し、
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）を備え、
前記第１の判定手段（Ｓ３１０）が前記条件を満たしていると判定したときには、前記電流検出手段（４０ａ、４７ａ）の検出電流として前記中性点電流を取得することを特徴とする。
【００１７】
請求項３に係る発明では、前記電流検出手段（４０ａ、４７ａ）は、前記負極母線（２１）と前記直流電源（３）のマイナス電極との間に流れる電流を検出し、
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得することを特徴とする。
【００１８】
請求項４に係る発明では、前記電流検出手段（４０ｂ、４７ｂ）は、前記正極母線（２２）と前記コンデンサ（３０）のプラス電極との間に流れる電流を検出し、
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第１の判定手段（Ｓ３１５）を備え、
前記第１の判定手段（Ｓ３１５）が前記条件を満たしていると判定したときには、前記電流検出手段（４０ｂ、４７ｂ）の検出電流として前記中性点電流を取得することを特徴とする。
【００１９】
請求項５に係る発明では、前記電流検出手段（４０ｂ、４７ｂ）は、前記正極母線（２２）と前記コンデンサ（３０）のプラス電極との間に流れる電流を検出し、
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第２の判定手段（Ｓ３３０）を備え、
前記第２の判定手段（Ｓ３３０）が前記条件を満たしていると判定したときには、前記中性点電流と前記Ｎ個のコイルのうちいずれか１つのコイルに流れる相毎の相電流とを足した電流を前記電流検出手段（４０ｂ、４７ｂ）の検出電流として取得し、前記電流検出手段（４０ｂ、４７ｂ）の検出電流をＮ相分取得することを特徴とする。
【００２０】
請求項６に係る発明では、前記中性点（１ｘ）と前記直流電源（３）のプラス電極との間に配置され、前記中性点（１ｘ）と前記直流電源（３）のプラス電極との間に流れる電流を検出する中性点電流検出手段（４０ｃ、４７ｃ）を備え、
前記駆動手段は、前記中性点電流検出手段（４０ｃ、４７ｃ）により検出された電流も前記中性点電流として用いることを特徴とする。
【００２１】
請求項７に係る発明では、前記電流検出手段は、前記負極母線（２１）と前記直流電源（３）のマイナス電極との間に流れる電流を検出する負極側電流検出手段（４０ａ、４７ａ）であり、
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記負極側電流検出手段（４０ａ、４７ａ）の検出電流として取得し、前記負極側電流検出手段（４０ａ、４７ａ）の検出電流をＮ相分取得するものであることを特徴とする。
【００２２】
請求項８に係る発明では、前記電流検出手段は、前記正極母線（２２）と前記コンデンサ（３０）のプラス電極との間に流れる電流を検出する正極側電流検出手段（４０ｂ、４７ｂ）であり、
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第２の判定手段（Ｓ３３０）を備え
前記第２の判定手段（Ｓ３３０）が前記条件を満たしていると判定したときには、前記中性点電流と前記Ｎ個のコイルのうちいずれか１つのコイルに流れる相毎の相電流とを足した電流を前記正極側電流検出手段（４０ｂ、４７ｂ）の検出電流として取得し、前記正極側電流検出手段（４０ｂ、４７ｂ）の検出電流をＮ相分取得することを特徴とする。
【００２３】
請求項９に係る発明では、前記コンデンサ（３０）のマイナス電極と前記負極母線（２１）との間に流れる電流と、前記直流電源（３）のプラス電極と前記正極母線（２２）との間に流れる電流とのうち少なくとも一方の電流を検出する電流検出手段（４０ａ、４０ｂ、４７ａ、４７ｂ）と、
前記相毎の前記一対のスイッチング素子のスイッチング動作モードに応じて、前記中性点（１ｘ）と前記直流電源（３）のマイナス電極との間に流れる中性点電流を、前記電流検出手段（４０ａ、４０ｂ、４７ａ、４７ｂ）の検出電流として取得し、前記中性点電流を用いて前記インバータ回路（２０）を介して前記交流同期電動機を駆動する駆動手段（Ｓ２００）と、を備えることを特徴とする。
【００２４】
これにより、中性点電流を取得することができ、この取得された中性点電流を用いて、インバータ回路を介してＮ相交流同期電動機を駆動することができる。
【００２５】
請求項１０に係る発明では、前記電流検出手段（４０ａ、４０ｂ、４７ａ、４７ｂ）は、前記負極母線（２１）と前記コンデンサ（３０）のマイナス電極との間に流れる電流を検出し、
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）と、を備え、
前記第１の判定手段（Ｓ３１０）が前記条件を満たしていると判定したときには、前記電流取得手段（４０ａ、４７ａ）の検出電流として前記中性点電流を取得することを特徴とする請求項９に記載の交流同期電動機の駆動装置。
【００２６】
請求項１１に係る発明では、前記電流検出手段（４０ａ、４０ｂ、４７ａ、４７ｂ）は、前記負極母線（２１）と前記コンデンサ（３０）のマイナス電極との間に流れる電流を検出し、
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記電流取得手段（４０ａ、４７ａ）の検出電流として取得し、前記電流取得手段（４０ａ、４７ａ）の検出電流をＮ相分取得するものであることを特徴とする請求項９に記載の交流同期電動機の駆動装置。
【００２７】
請求項１２に係る発明では、前記電流検出手段（４０ｂ、４７ｂ）は、前記正極母線（２２）と前記直流電源（３）のプラス電極との間に流れる電流を検出し、
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第１の判定手段（Ｓ３１５）を備え、
前記第１の判定手段（Ｓ３１５）が前記条件を満たしていると判定したときには、前記電流検出手段（４０ｂ、４７ｂ）の検出電流として前記中性点電流を取得することを特徴とする請求項９に記載の交流同期電動機の駆動装置。
【００２８】
請求項１３に係る発明では、前記電流検出手段は、前記正極母線（２２）と前記直流電源（３）のプラス電極との間に流れる電流を検出する正極側電流検出手段（４０ｂ、４７ｂ）であり、
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第２の判定手段（Ｓ３３０）と、
前記第２の判定手段（Ｓ３３０）が前記条件を満たしていると判定したときには、前記中性点電流と前記Ｎ個のコイルのうちいずれか１つのコイルに流れる相毎の相電流とを足した電流を前記正極側電流検出手段（４０ｂ、４７ｂ）の検出電流として取得し、前記正極側電流検出手段（４０ｂ、４７ｂ）の検出電流をＮ相分取得することを特徴とする。
【００２９】
請求項１４に係る発明では、前記中性点（１ｘ）と前記直流電源（３）のマイナス電極との間に配置され、前記中性点（１ｘ）と前記直流電源（３）のマイナス電極との間に流れる電流を検出する中性点電流検出手段（４０ｃ、４７ｃ）を備え、
前記駆動手段は、前記中性点電流検出手段（４０ｃ、４７ｃ）により検出された電流も前記中性点電流として用いることを特徴とする請求項９に記載の交流同期電動機の駆動装置。
【００３０】
請求項１５に係る発明では、前記電流取得手段は、前記負極母線（２１）と前記コンデンサ（３０）のマイナス電極との間に流れる電流を検出する負極側電流取得手段（４０ａ、４７ａ）であり、
前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記負極側電流取得手段（４０ａ、４７ａ）の検出電流として取得し、前記負極側電流取得手段（４０ａ、４７ａ）の検出電流をＮ相分取得することを特徴とする。
【００３１】
請求項１６に係る発明では、前記電流検出手段は、前記正極母線（２２）と前記直流電源（３）のプラス電極との間に流れる電流を検出する正極側電流検出手段（４０ｂ、４７ｂ）であり、
前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第２の判定手段（Ｓ３３０）を備え、
前記第２の判定手段（Ｓ３３０）が前記条件を満たしていると判定したときには、前記中性点電流と前記Ｎ個のコイルのうちいずれか１つのコイルに流れる相毎の相電流とを足した電流を前記正極側電流検出手段（４０ｂ、４７ｂ）の検出電流として取得し、前記正極側電流検出手段（４０ｂ、４７ｂ）の検出電流をＮ相分取得することを特徴とする。
【００３２】
請求項１７に係る発明では、前記Ｎ相分の検出電流に含まれる前記中性点電流を前記電流検出手段により取得された前記中性点電流に基づいて前記相毎に除いて前記Ｎ相分の前記相電流を算出する相電流算出手段（Ｓ４１０）を備え、
前記駆動手段（Ｓ２００）は、前記相電流算出手段（Ｓ４１０）により算出された前記Ｎ相分の前記相電流を用いて、前記インバータ回路（２０）を介して前記交流同期電動機を駆動することを特徴とする。
【００３３】
請求項１８に係る発明では、前記負極母線（２１）と前記直流電源（３）のマイナス電極との間に流れる電流を検出する負極側電流検出手段（４０ａ、４７ａ）と、
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）と、
前記第１の判定手段（Ｓ３１０）が前記条件を満たしていると判定したときには、前記負極側電流検出手段の検出電流（４０ａ、４７ａ）として、前記中性点と前記直流電源（３）のプラス電極との間に流れる中性点電流を取得する第１の中性点電流取得手段（Ｓ４４３）と、
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第２の判定手段（Ｓ３３０）と、
前記正極母線（２２）と前記コンデンサ（３０）のプラス電極との間に流れる電流を検出する正極側電流検出手段（４０ｂ、４７ｂ）と、
前記第２の判定手段（Ｓ３３０）が前記条件を満たしていると判定したときには、前記正極側電流検出手段（４０ｂ、４７ｂ）の検出電流として前記中性点電流を取得する第２の中性点電流取得手段（Ｓ４４７）と、
前記第１、第２の中性点電流取得手段（Ｓ４４３、Ｓ４４７）のうちいずれか一方により取得された中性点電流を用いて、前記インバータ回路（２０）を介して前記交流同期電動機を駆動する駆動手段（Ｓ２００）と、を備えることを特徴とする。
【００３４】
請求項１９に係る発明では、前記負極母線（２１）と前記コンデンサ（３０）のマイナス電極との間に流れる電流を検出する負極側電流検出手段（４０ａ、４７ａ）と、
前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）と、
前記第１の判定手段（Ｓ３１０）が前記条件を満たしていると判定したときには、前記負極側電流検出手段（４０ａ、４７ａ）の検出電流として、前記中性点と前記直流電源（３）のマイナス電極との間に流れる中性点電流を取得する第１の中性点電流取得手段（Ｓ４４３）と、
前記正極母線（２２）と前記直流電源（３）のプラス電極との間に流れる電流を検出する正極側電流検出手段（４０ｂ、４７ｂ）と、
前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第２の判定手段（Ｓ３３０）と、
前記第２の判定手段（Ｓ３３０）が前記条件を満たしていると判定したときには、前記正極側電流検出手段（４０ｂ、４７ｂ）の検出電流として前記中性点電流を取得する第２の中性点電流取得手段（Ｓ４４７）と、
前記第１、第２の中性点電流取得手段（Ｓ４４３、Ｓ４４７）のうちいずれか一方により取得された中性点電流を用いて、前記インバータ回路（２０）を介して前記交流同期電動機を駆動する駆動手段（２００）と、を備えることを特徴とする。
【００３５】
請求項２０に係る発明では、前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第３の判定手段（Ｓ３２０）を備え、
前記第３の判定手段（Ｓ３２０）が前記条件を満たしていると判定したときには、前記中性点電流と前記Ｎ個のコイルのうちいずれか１つのコイルに流れる相毎の相電流とを足した電流を前記負極側電流検出手段（４０ａ、４７ａ）の検出電流として取得し、前記負極側電流検出手段（４０ａ、４７ａ）の検出電流をＮ相分取得することを特徴とする。
【００３６】
請求項２１に係る発明では、前記第１の中性点電流取得手段により取得された中性点電流と前記第２の中性点電流取得手段により取得された中性点電流とのうちいずれか一方を選択する選択手段（Ｓ６２０）と、
前記Ｎ相分の検出電流に含まれる前記中性点電流を前記選択手段（Ｓ６２０）により選択された一方の中性点電流に基づいて前記相毎に除いて前記Ｎ相分の前記相電流を算出する相電流算出手段（Ｓ６３０）と、を備え、
前記駆動手段（Ｓ２００）は、前記相電流算出手段（Ｓ６３０）により算出された前記Ｎ相分の前記相電流を用いて、前記インバータ回路（２０）を介して前記交流同期電動機を駆動することを特徴とする。
【００３７】
請求項２２に係る発明では、前記選択手段（６２０）は、前記第１、第２の中性点電流取得手段によりそれぞれ取得された中性点電流のうち前記一方の中性点電流として、前記負極側電流検出手段（４０ａ、４７ａ）の検出電流を取得したタイミングに近いタイミングで取得された電流を、選択することを特徴とする。
【００３８】
請求項２３に係る発明では、前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第３の判定手段（Ｓ３３０）を備え、
前記第３の判定手段（Ｓ３３０）が前記条件を満たしていると判定したときには、前記中性点電流と前記Ｎ個のコイルのうちいずれか１つのコイルに流れる相毎の相電流とを足した電流を前記正極側電流検出手段（４０ｂ、４７ｂ）の検出電流として取得し、前記正極側電流検出手段（４０ｂ、４７ｂ）の検出電流をＮ相分取得することを特徴とする。
【００３９】
請求項２４に係る発明では、前記第１の中性点電流取得手段により取得された中性点電流と前記第２の中性点電流取得手段により取得された中性点電流とのうちいずれか一方を選択する選択手段（Ｓ６２０）と、
前記Ｎ相分の検出電流に含まれる前記中性点電流を前記選択手段（６２０）により選択された一方の中性点電流に基づいて前記相毎に除いて前記Ｎ相分の前記相電流を算出する相電流算出手段（Ｓ６３０）と、を備え、
前記駆動手段（Ｓ２００）は、前記相電流算出手段（Ｓ６３０）により算出された前記Ｎ相分の前記相電流を用いて、前記インバータ回路（２０）を介して前記交流同期電動機を駆動することを特徴とする。
【００４０】
請求項２５に係る発明では、前記選択手段（Ｓ６２０）は、前記第１、第２の中性点電流取得手段によりそれぞれ取得された中性点電流のうち前記一方の検出電流として、前記正極側電流検出手段（４０ｂ、４７ｂ）の検出電流を取得したタイミングに近いタイミングで取得された電流を、選択することを特徴とする。
【００４１】
請求項２６に係る発明では、前記正極母線（２２）と前記負極母線（２１）との間に接続されているコンデンサ（３０）と、を備え、
前記インバータ回路（２０）は、前記相毎の前記一対のスイッチング素子のスイッチング動作に伴って、前記負極母線（２１）と前記中性点（１ｘ）との間に接続されている直流電源（３）の出力電圧と前記コンデンサ（３０）の出力電圧とに基づいて、前記ステータコイル（１）に交流電流を出力して前記ステータコイル（１）から前記回転磁界を発生させるように構成された交流同期電動機の駆動装置であって、
前記正極母線（２２）および前記負極母線（２１）のうち一方と前記コンデンサ（３０）との間に流れる電流を検出する電流検出手段（４０ａ、４７ａ）と、
前記相毎の前記一対のスイッチング素子のスイッチング動作モードに応じて、前記中性点（１ｘ）と前記直流電源（３）との間に流れる中性点電流を、前記電流検出手段（４０ａ、４７ａ）の検出電流として取得し、前記中性点電流を用いて前記インバータ回路（２０）を介して前記交流同期電動機を駆動する駆動手段（Ｓ２００）と、を備えることを特徴とする。
【００４２】
これにより、中性点電流を取得することができ、この取得された中性点電流を用いて、インバータ回路を介して交流同期電動機を駆動することができる。
【００４３】
請求項２７に係る発明では、前記負極母線（２１）と前記直流電源（３）のマイナス電極とが接続されていることを特徴とする。
【００４４】
請求項２８に係る発明では、前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第１の判定手段（Ｓ３３０）を備え、
前記第１の判定手段（Ｓ３３０）が前記条件を満たしていると判定したときには、前記電流検出手段（４０ａ、４７ａ）の検出電流として前記中性点電流を取得することを特徴とする。
【００４５】
請求項２９に係る発明では、前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第３の判定手段（Ｓ３３０）を備え、
前記第３の判定手段（Ｓ３３０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得し、この取得されたＮ相分の前記電流検出手段（４０ａ、４７ａ）の検出電流に基づいて前記駆動手段（Ｓ２００）が前記交流同期電動機を駆動することを特徴とする。
【００４６】
請求項３０に係る発明では、前記中性点（１ｘ）と前記負極母線（２１）とのうちいずれか一方と前記直流電源（３）との間に配置され、前記中性点（１ｘ）と前記負極母線（２１）とのうちいずれか一方と前記直流電源（３）との間に流れる電流を検出する中性点電流検出手段（４０ｂ、４７ｂ）を備え、
前記駆動手段は、前記中性点電流検出手段（４０ｂ、４７ｂ）により検出された電流も前記中性点電流として用いて前記交流同期電動機を駆動することを特徴とする。
【００４７】
請求項３１に係る発明では、前記コンデンサ（３０）のマイナス電極と前記直流電源（３）のマイナス電極とが接続されていることを特徴とする。
【００４８】
請求項３２に係る発明では、前記電流検出手段（４０ａ、４７ａ）は、前記負極母線（２１）と前記コンデンサ（３０）のマイナス電極との間に配置されていることを特徴とする。
【００４９】
請求項３３に係る発明では、前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ４５０）を備え、
前記第１の判定手段（Ｓ４５０）が前記条件を満たしていると判定したときには、前記電流検出手段（４０ａ、４７ａ）の検出電流として前記中性点電流を取得することを特徴とする。
【００５０】
請求項３４に係る発明では、前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３９０）を備え、
前記第２の判定手段（Ｓ３９０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得し、この取得されたＮ相分の前記電流検出手段（４０ａ、４７ａ）の検出電流に基づいて前記駆動手段（Ｓ２００）が前記交流同期電動機を駆動することを特徴とする。
【００５１】
請求項３５に係る発明では、前記中性点（１ｘ）と前記コンデンサ（３０）のマイナス電極とのうちいずれか一方と前記直流電源（３）との間に配置され、前記中性点（１ｘ）と前記コンデンサ（３０）のマイナス電極とのうちいずれか一方と前記直流電源（３）との間に流れる電流を検出する中性点電流検出手段（４０ｂ、４７ｂ）を備え、
前記駆動手段は、前記中性点電流検出手段（４０ｂ、４７ｂ）により検出された電流も前記中性点電流として用いて前記交流同期電動機を駆動することを特徴とする。
【００５２】
請求項３６に係る発明では、前記正極母線（２２）と前記負極母線（２１）との間に接続されているコンデンサ（３０）と、を備え、
前記インバータ回路（２０）は、前記相毎の前記一対のスイッチング素子のスイッチング動作に伴って、前記正極母線（２２）と前記中性点（１ｘ）との間に接続されている直流電源（３）の出力電圧と前記コンデンサ（３０）の出力電圧とに基づいて、前記ステータコイル（１）に交流電流を出力して前記ステータコイル（１）から前記回転磁界を発生させるように構成された交流同期電動機の駆動装置であって、
前記正極母線（２２）および前記負極母線（２１）のうち一方と前記コンデンサ（３０）との間に流れる電流を検出する電流検出手段（４０ａ、４７ａ）と、
前記相毎の前記一対のスイッチング素子のスイッチング動作モードに応じて、前記中性点（１ｘ）と前記直流電源（３）との間に流れる中性点電流を、前記電流検出手段（４０ａ、４７ａ）の検出電流として取得し、前記中性点電流を用いて前記インバータ回路（２０）を介して前記交流同期電動機を駆動する駆動手段（Ｓ２００）と、を備えることを特徴とする。
【００５３】
これにより、中性点電流を取得することができ、この取得された中性点電流を用いて、インバータ回路を介して交流同期電動機を駆動することができる。
【００５４】
請求項３７に係る発明では、前記正極母線（２２）と前記直流電源（３）のプラス電極とが接続されていることを特徴とする。
【００５５】
請求項３８に係る発明では、前記相毎の前記一対のスイッチング素子のうち、前記正極母線（２２）に接続されているスイッチング素子が全てオフし、かつ前記負極母線（２１）に接続されているスイッチング素子が全てオンしている条件を満たしているか否かを判定する第１の判定手段（Ｓ３１０）を備え、
前記第１の判定手段（Ｓ３１０）が前記条件を満たしていると判定したときには、前記電流検出手段（４０ａ、４７ａ）の検出電流として前記中性点電流を取得することを特徴とする。
【００５６】
請求項３９に係る発明では、前記相毎の前記一対のスイッチング素子のうち、前記正極母線（２２）に接続されているスイッチング素子が１個オンして、かつ前記負極母線（２１）に接続されているスイッチング素子が（Ｎ−１）個オンしている条件を満たしているか否かを判定する第２の判定手段（Ｓ３２０）を備え、
前記第２の判定手段（Ｓ３２０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得し、この取得されたＮ相分の前記電流検出手段（４０ａ、４７ａ）の検出電流に基づいて前記駆動手段（Ｓ２００）が前記交流同期電動機を駆動することを特徴とする。
【００５７】
請求項４０に係る発明では、前記中性点（１ｘ）と前記正極母線（２２）とのうちいずれか一方と前記直流電源（３）との間に配置され、前記中性点（１ｘ）と前記正極母線（２２）とのうちいずれか一方と前記直流電源（３）との間に流れる電流を検出する中性点電流検出手段（４０ｂ、４７ｂ）を備え、
前記駆動手段は、前記中性点電流検出手段（４０ｂ、４７ｂ）により検出された電流も前記中性点電流として用いて前記交流同期電動機を駆動することを特徴とする。
【００５８】
請求項４１に係る発明では、前記コンデンサ（３０）のプラス電極と前記直流電源（３）のプラス電極とが接続されていることを特徴とする。
【００５９】
請求項４２に係る発明では、前記電流検出手段（４０ａ、４７ａ）は、前記コンデンサ（３０）のプラス電極と前記正極母線（２２）との間に配置されていることを特徴とする。
【００６０】
請求項４３に係る発明では、前記相毎の前記一対のスイッチング素子のうち、前記正極母線（２２）に接続されているスイッチング素子が全てオンし、かつ前記負極母線（２１）に接続されているスイッチング素子が全てオフしている条件を満たしているか否かを判定する第１の判定手段（Ｓ３３０）を備え、
前記第１の判定手段（Ｓ３３０）が前記条件を満たしていると判定したときには、前記電流検出手段（４０ａ、４７ａ）の検出電流として前記中性点電流を取得することを特徴とする。
【００６１】
請求項４４に係る発明では、前記相毎の前記一対のスイッチング素子のうち、前記正極母線（２２）に接続されているスイッチング素子が（Ｎ−１）個オンして、かつ前記負極母線（２１）に接続されているスイッチング素子が１個オンしている条件を満たしているか否かを判定する第３の判定手段（Ｓ３３０）を備え、
前記第３の判定手段（Ｓ３３０）が前記条件を満たしていると判定したときには、前記中性点電流と前記Ｎ個のコイルのうちいずれか１つのコイルに流れる相毎の相電流とを足した電流を前記電流検出手段（４０ａ、４７ａ）の検出電流として取得し、前記電流検出手段（４０ａ、４７ａ）の検出電流をＮ相分取得し、この取得されたＮ相分の前記電流検出手段（４０ａ、４７ａ）の検出電流に基づいて前記駆動手段（Ｓ２００）が前記交流同期電動機を駆動することを特徴とする。
【００６２】
請求項４５に係る発明では、前記中性点（１ｘ）と前記コンデンサ（３０）のプラス電極とのうちいずれか一方と前記直流電源（３）との間に配置され、前記中性点（１ｘ）と前記コンデンサ（３０）のプラス電極とのうちいずれか一方と前記直流電源（３）との間に流れる電流を検出する中性点電流検出手段（４０ｂ、４７ｂ）を備え、
前記駆動手段は、前記中性点電流検出手段（４０ｂ、４７ｂ）により検出された電流も前記中性点電流として用いて前記交流同期電動機を駆動することを特徴とする。
【００６３】
なお、この欄および特許請求の範囲で記載した各手段の括弧内の符号は、後述する実施形態に記載の具体的手段との対応関係を示すものである。
【図面の簡単な説明】
【００６４】
【図１】本発明の第１実施形態における駆動装置を示す図である。
【図２】図１の制御回路の制御処理を示す図である。
【図３】図２の制御処理で用いる搬送波および電圧指令波を示す図である。
【図４】図１のインバータ回路およびステータコイルを示す図である。
【図５】図１のインバータ回路およびステータコイルを示す図である。
【図６】図１のインバータ回路およびステータコイルを示す図である。
【図７】図１のインバータ回路およびステータコイルを示す図である。
【図８】図１のインバータ回路およびステータコイルを示す図である。
【図９】図１のインバータ回路およびステータコイルを示す図である。
【図１０】図１のインバータ回路およびステータコイルを示す図である。
【図１１】図１の制御回路の電流取得処理の一部を示す図である。
【図１２】図１の制御回路の電流取得処理の残りを示す図である。
【図１３】第１実施形態における駆動装置の変形例を示す図である。
【図１４】本発明の第２実施形態における駆動装置を示す図である。
【図１５】図１４のインバータ回路およびステータコイルを示す図である。
【図１６】図１４のインバータ回路およびステータコイルを示す図である。
【図１７】図１４のインバータ回路およびステータコイルを示す図である。
【図１８】本発明の第２実施形態における駆動装置の変形例を示す図である。
【図１９】本発明の第３実施形態における駆動装置を示す図である。
【図２０】図１９のインバータ回路およびステータコイルを示す図である。
【図２１】図１９のインバータ回路およびステータコイルを示す図である。
【図２２】図１９のインバータ回路およびステータコイルを示す図である。
【図２３】図１９のインバータ回路およびステータコイルを示す図である。
【図２４】図１９のインバータ回路およびステータコイルを示す図である。
【図２５】図１９のインバータ回路およびステータコイルを示す図である。
【図２６】図１９のインバータ回路およびステータコイルを示す図である。
【図２７】図１９の制御回路の電流算出処理の一部を示す図である。
【図２８】図１９の制御回路の電流取得処理の残りを示す図である。
【図２９】本発明の第３実施形態における駆動装置の変形例を示す図である。
【図３０】本発明の第４実施形態における駆動装置を示す図である。
【図３１】図３０のインバータ回路およびステータコイルを示す図である。
【図３２】図３０のインバータ回路およびステータコイルを示す図である。
【図３３】図３０のインバータ回路およびステータコイルを示す図である。
【図３４】本発明の第４実施形態における駆動装置の変形例を示す図である。
【図３５】本発明の第５実施形態における駆動装置を示す図である。
【図３６】図３５のインバータ回路およびステータコイルを示す図である。
【図３７】図３５のインバータ回路およびステータコイルを示す図である。
【図３８】図３５のインバータ回路およびステータコイルを示す図である。
【図３９】図３５のインバータ回路およびステータコイルを示す図である。
【図４０】図３５のインバータ回路およびステータコイルを示す図である。
【図４１】図３５のインバータ回路およびステータコイルを示す図である。
【図４２】図３５のインバータ回路およびステータコイルを示す図である。
【図４３】図３５のインバータ回路およびステータコイルを示す図である。
【図４４】図３５の制御回路の電流取得処理の一部を示す図である。
【図４５】図３５の制御回路の三相交流電流算出処理の残りを示す図である。
【図４６】図３５の制御回路の三相交流電流算出処理の残りを示す図である。
【図４７】図３５の電流取得処理により取得される各電流を示す図表である。
【図４８】本発明の第５実施形態における駆動装置の変形例を示す図である。
【図４９】本発明の第６実施形態の駆動装置の制御処理を示す図である。
【図５０】本発明の第７実施形態における駆動装置を示す図である。
【図５１】図５０のインバータ回路およびステータコイルを示す図である。
【図５２】図５０のインバータ回路およびステータコイルを示す図である。
【図５３】図５０のインバータ回路およびステータコイルを示す図である。
【図５４】図５０のインバータ回路およびステータコイルを示す図である。
【図５５】図５０のインバータ回路およびステータコイルを示す図である。
【図５６】図５０のインバータ回路およびステータコイルを示す図である。
【図５７】図５０のインバータ回路およびステータコイルを示す図である。
【図５８】図５０の制御回路の電流取得処理を示す図である。
【図５９】本発明の第８実施形態における駆動装置を示す図である。
【図６０】図５９のインバータ回路およびステータコイルを示す図である。
【図６１】図５９のインバータ回路およびステータコイルを示す図である。
【図６２】図５９のインバータ回路およびステータコイルを示す図である。
【図６３】図５９のインバータ回路およびステータコイルを示す図である。
【図６４】図５９のインバータ回路およびステータコイルを示す図である。
【図６５】図５９のインバータ回路およびステータコイルを示す図である。
【図６６】図５９のインバータ回路およびステータコイルを示す図である。
【図６７】図５９のインバータ回路およびステータコイルを示す図である。
【図６８】図５９の制御回路の電流取得処理を示す図である。
【図６９】図６８の電流取得処理により取得される各電流を示す図表である。
【図７０】本発明の第９実施形態における駆動装置を示す図である。
【図７１】図７０のインバータ回路およびステータコイルを示す図である。
【図７２】図７０のインバータ回路およびステータコイルを示す図である。
【図７３】図７０のインバータ回路およびステータコイルを示す図である。
【図７４】図７０のインバータ回路およびステータコイルを示す図である。
【図７５】図７０のインバータ回路およびステータコイルを示す図である。
【図７６】図７０のインバータ回路およびステータコイルを示す図である。
【図７７】図７０のインバータ回路およびステータコイルを示す図である。
【図７８】本発明の第１０実施形態における駆動装置を示す図である。
【図７９】図７８のインバータ回路およびステータコイルを示す図である。
【図８０】図７８のインバータ回路およびステータコイルを示す図である。
【図８１】図７８のインバータ回路およびステータコイルを示す図である。
【図８２】図７８のインバータ回路およびステータコイルを示す図である。
【図８３】図７８のインバータ回路およびステータコイルを示す図である。
【図８４】図７８のインバータ回路およびステータコイルを示す図である。
【図８５】図７８のインバータ回路およびステータコイルを示す図である。
【図８６】図７８のインバータ回路およびステータコイルを示す図である。
【図８７】本発明の第１１実施形態における駆動装置を示す図である。
【図８８】図８７のインバータ回路およびステータコイルを示す図である。
【図８９】図８７のインバータ回路およびステータコイルを示す図である。
【図９０】図８７のインバータ回路およびステータコイルを示す図である。
【図９１】図８７のインバータ回路およびステータコイルを示す図である。
【図９２】図８７のインバータ回路およびステータコイルを示す図である。
【図９３】図８７のインバータ回路およびステータコイルを示す図である。
【図９４】図８７のインバータ回路およびステータコイルを示す図である。
【図９５】本発明の第１２実施形態における駆動装置を示す図である。
【図９６】図９５のインバータ回路およびステータコイルを示す図である。
【図９７】図９５のインバータ回路およびステータコイルを示す図である。
【図９８】図９５のインバータ回路およびステータコイルを示す図である。
【図９９】図９５のインバータ回路およびステータコイルを示す図である。
【図１００】図９５のインバータ回路およびステータコイルを示す図である。
【図１０１】図９５のインバータ回路およびステータコイルを示す図である。
【図１０２】図９５のインバータ回路およびステータコイルを示す図である。
【発明を実施するための形態】
【００６５】
（第１実施形態）
図１に本発明に係る三相交流同期電動機の駆動装置の第１実施形態を示す。図１は駆動装置の回路構成と三相交流同期電動機の一部の構成とを示す。
【００６６】
駆動装置１０は、直流電圧に基づいて三相交流電流を三相交流同期電動機に出力して三相交流同期電動機を駆動する。三相交流同期電動機の回転軸には、例えば、圧縮機構等の負荷が接続されている。
【００６７】
三相交流同期電動機は、例えば永久磁石が埋め込まれたロータ（図示省略）と、ロータに回転磁界を与えるステータコイル１を備える。ステータコイル１は、Ｕ相コイル１ａ、Ｖ相コイル１ｂ、およびＷ相コイル１ｃがスター結線されて中性点１ｘを有するものである。ステータコイル１の中性点１ｘとグランドとの間には、直流電源３が配置されている。直流電源３は、バッテリ３ａとコンデンサ３ｂとから構成されている。
【００６８】
本実施形態では、三相交流同期電動機は、ロータの位置情報を検出するセンサが取り付けられていない構成になっている。
【００６９】
駆動装置１０は、インバータ回路２０、コンデンサ３０、抵抗素子４０ａ、電圧センサ４５、４７ａ、および制御回路５０を備える。インバータ回路２０は、直流電源３の出力電圧とコンデンサ３０のプラス電極とマイナス電極との間の電圧差とに基づいて三相交流電流をステータコイル１に出力する。
【００７０】
インバータ回路２０は、トランジスタＳＷ１、ＳＷ２、ＳＷ３、ＳＷ４、ＳＷ５、ＳＷ６およびダイオードＤ１、Ｄ２、Ｄ３、Ｄ４、Ｄ５、Ｄ６から構成されている。
【００７１】
トランジスタＳＷ１、ＳＷ４は負極母線２１と正極母線２２との間に直列接続され、トランジスタＳＷ２、ＳＷ５は負極母線２１と正極母線２２との間で直列接続され、トランジスタＳＷ３、ＳＷ６は負極母線２１と正極母線２２との間で直列接続されている。負極母線２１は、グランドに接続されている。
【００７２】
トランジスタＳＷ１、ＳＷ４は、Ｗ相に対応するように設けられており、トランジスタＳＷ１、ＳＷ４の共通接続点Ｔ１は、Ｗ相コイル１ｃに接続されている。トランジスタＳＷ２、ＳＷ５は、Ｖ相に対応するように設けられており、トランジスタＳＷ２、ＳＷ５の共通接続点Ｔ２は、Ｖ相コイル１ｂに接続されている。  トランジスタＳＷ３、ＳＷ６は、Ｕ相に対応するように設けられており、トランジスタＳＷ３、ＳＷ６の共通接続点Ｔ３は、Ｕ相コイル１ａに接続されている。
【００７３】
ここで、トランジスタＳＷ１、ＳＷ２…ＳＷ６としては、例えば、絶縁ゲートバイポーラトランジスタや電界効果型トランジスタ等の半導体トランジスタが用いられている。
【００７４】
なお、以下、トランジスタＳＷ１、ＳＷ２、ＳＷ３、ＳＷ４、ＳＷ５、ＳＷ６を６個のトランジスタと省略する。ダイオードＤ１、Ｄ２、Ｄ３、Ｄ４、Ｄ５、Ｄ６を６個のダイオードと省略する。
【００７５】
６個のダイオードは、６個のトランジスタのうち対応するトランジスタに逆並列になるように配置されている。
【００７６】
コンデンサ３０は、バッテリ３ａとともに出力電圧をインバータ回路２０に与える。コンデンサ３０のプラス電極は、インバータ回路２０の正極母線２２に接続されている。バッテリ３ａのマイナス電極は、負極母線２１に接続されている。
【００７７】
抵抗素子４０ａは、負極母線２１とバッテリ３ａのマイナス電極との間に接続されている。抵抗素子４０ａは、後述するように、Ｕ相電流ｉｕ、Ｖ相電流ｉｖ、およびＷ相電流ｉｗをそれぞれ検出するために用いられる。
【００７８】
Ｕ相電流ｉｕは、トランジスタＳＷ３、ＳＷ６の共通接続点Ｔ３からＵ相コイル１ａに流れる相電流である。Ｖ相電流ｉｖは、トランジスタＳＷ２、ＳＷ５の共通接続点Ｔ２からＶ相コイル１ｂに流れる相電流である。Ｗ相電流ｉｗは、トランジスタＳＷ１、ＳＷ４の共通接続点Ｔ１からＷ相コイル１ｃに流れる相電流である。
【００７９】
なお、図中電流ｉｕ、ｉｖ、ｉｗの電流の流れる方向は、それぞれ各矢印の方向を正とする。
【００８０】
電圧センサ４５は、直流電源３のプラス電極とマイナス電極との間の電圧を検出するセンサである。
【００８１】
電圧センサ４７ａは、抵抗素子４０の一方の端子と他方の端子との間の電位差を検出するセンサである。
【００８２】
制御回路５０は、マイクロコンピュータ、およびメモリから構成され、後述するようにセンサ４５、４７ａのそれぞれの検出値と電子制御装置７から与えられる目標回転数とに基づいて６個のトランジスタを制御する処理を実行する。
【００８３】
次に、本実施形態の作動について図２〜図７を参照して説明する。
【００８４】
制御回路５０は、図２のフローチャートにしたがって、周知の三角波比較方式の制御処理を実行する。周知の三角波比較方式の制御処理は、相毎の電圧指令波ＶＳと搬送波Ｋａとの比較に応じてインバータ回路２０を制御する処理である。  図３に搬送波Ｋａを示す。搬送波Ｋａは、零電位からプラス側およびマイナス側に電圧が周期的に変化する三角波である。搬送波Ｋａの波高値ＶＢとしては、電圧センサ４５の検出値が設定される。
【００８５】
まず、ステップＳ１００において、目標回転数Ｎｃに実際の回転数Ｎａを近づけるための相毎の電圧指令波を算出する。
【００８６】
相毎の電圧指令波ＶＳは、コイル１ａ、１ｂ、１ｃのそれぞれに対する電圧指令値を示すもので、図３に示すように、Ｕ相指令波ＶＵ、Ｖ相指令波ＶＶ、およびＷ相指令波ＶＷから構成される三相の指令波である。指令波ＶＵ、ＶＶ、ＶＷは、零電位からプラス側およびマイナス側に電圧が周期的に変化する正弦波であって、後述するように、インバータ回路２０を制御する際に用いられる。
【００８７】
相毎の電圧指令波の算出に際しては、周知であるモータの電圧方程式が用いられる。電圧方程式は、コイル１ａ、１ｂ、１ｃのそれぞれに発生する相毎の電圧（以下、電機子電圧という）と相電流ｉｕ、ｉｖ、ｉｗとの関係を示すものである。
【００８８】
本実施形態では、相電流ｉｕ、ｉｖ、ｉｗを電圧方程式に代入することによって算出される相毎の電機子電圧を相毎の電圧指令波としている。相毎の電圧指令波の算出に用いられる相電流ｉｕ、ｉｖ、ｉｗは、後述するように、電流算出処理により更新される。
【００８９】
次のステップＳ２００において、電圧指令波ＶＳを用いてインバータ回路２０を制御するためのスイッチング信号を求める。
【００９０】
具体的には、電圧指令波ＶＳと搬送波Ｋａと相毎に比較して６個のトランジスタのうちいずれをオンさせるかを決定する。
【００９１】
Ｕ相指令波ＶＵは、トランジスタＳＷ３、ＳＷ６に対応している。Ｕ相指令波ＶＵが搬送波Ｋａより大きいときには、正極母線２２側のトランジスタＳＷ３をオンして負極母線２１側トランジスタＳＷ６をオフする。Ｕ相指令波ＶＵが搬送波Ｋａより小さいときには、トランジスタＳＷ３をオフしてトランジスタＳＷ６をオンする。
【００９２】
Ｖ相指令波ＶＶは、トランジスタＳＷ２、ＳＷ５に対応している。Ｕ相指令波ＶＵの場合と同様に、Ｖ相指令波ＶＶと搬送波Ｋａとの比較に応じて、正極母線２２側のトランジスタＳＷ２および負極母線２１側トランジスタＳＷ５のうち一方のトランジスタをオフして、他方のトランジスタをオンする。
【００９３】
同様に、Ｗ相指令波ＶＷと搬送波Ｋａとの比較に応じて、正極母線２２側のトランジスタＳＷ１および負極母線２１側トランジスタＳＷ４のうち一方のトランジスタをオフして、他方のトランジスタをオンする。
【００９４】
このように６個のトランジスタのうちいずれのトランジスタをオンさせるかを決定し、この決定された情報を含むスイッチング信号を算出することになる。
【００９５】
その後、ステップＳ１００に戻り、ステップＳ１００、Ｓ２００の処理を繰り返して、インバータ回路２０の制御信号を繰り返し求める。
【００９６】
このようにスイッチング信号がインバータ回路２０に出力されると、６個のトランジスタがスイッチング動作する。これに伴い、共通接続点Ｔ１、Ｔ２、Ｔ３から三相交流電流がステータコイル１に出力される。
【００９７】
このため、ステータコイル１から回転磁界が発生する。これに伴い、ロータが回転磁界に同期して回転する。
【００９８】
また、負極母線２１側のトランジスタＳＷ４、ＳＷ５、ＳＷ６のスイッチング動作に伴って、コンデンサ３０に電荷が蓄積される。
【００９９】
負極母線２１側のトランジスタのうち例えばトランジスタＳＷ４がオンすると、直流電源３から中性点１ｘを通してＷ相コイル１ｃおよびトランジスタＳＷ４を通してグランドに電流が流れる。このとき、Ｗ相コイル１ｃにエネルギが蓄積される。その後、トランジスタＳＷ４がオフすると、Ｗ相コイル１ｃのエネルギに基づいた電流がダイオードＤ１を通して正極母線２２側に流れる。
【０１００】
すなわち、トランジスタＳＷ４がオフすると、Ｗ相コイル１ｃから電流がダイオードＤ１を通して正極母線２２側に流れる。この電流は、充電電流としてコンデンサ３０のプラス電極側に流れ、コンデンサ３０に電荷を蓄積することになる。
【０１０１】
次に、本実施形態の電流算出処理について図４〜図１２を参照して説明する。
【０１０２】
図４〜図１０は６個のトランジスタのうちいずれか３つのトランジスタがオンしているインバータ回路およびステータコイルを示す概略図である。図４はトランジスタＳＷ１、ＳＷ２、ＳＷ６がオンしている場合を示し、図５はトランジスタＳＷ１、ＳＷ３、ＳＷ５がオンしている場合を示し、図６はトランジスタＳＷ２、ＳＷ３、ＳＷ４がオンしている場合を示している。図４〜図６中の電流Ｉａｘの流れる方向は矢印の方向を正とする。図４〜図６は６個のトランジスタのうちオフしている３つのトランジスタと６個のダイオードを省略している。
【０１０３】
図７はトランジスタＳＷ４、ＳＷ５、ＳＷ６がオンしている場合を示している。図７中の電流Ｉａｙの流れる方向は矢印の方向を正とする。図７は６個のトランジスタのうちオフしている３つのトランジスタとダイオードＤ４、Ｄ５、Ｄ６を省略している。
【０１０４】
図８はトランジスタＳＷ３、ＳＷ４、ＳＷ５がオンしている場合を示し、図９はトランジスタＳＷ２、ＳＷ４、ＳＷ６がオンしている場合を示し、図１０はトランジスタＳＷ１、ＳＷ５、ＳＷ６がオンしている場合を示している。図８〜図１０中電流Ｉａｚの流れる方向は矢印の方向を正とする。図８〜図１０は６個のトランジスタのうちオフしている３つのトランジスタと６個のダイオードを省略している。
【０１０５】
図１１、図１２は、電流算出処理を示すフローチャートである。制御回路５０は、図１１、図１２のフローチャートにしたがって、電流算出処理を実行する。電流算出処理は、繰り返し実行されるもので、電流算出処理の実行は、上述のステップＳ２００でスイッチング信号を算出する毎に、開始される。すなわち、６個のトランジスタのうちオンするトランジスタが変更する毎に、電流算出処理が実行される。
【０１０６】
まず、６個のトランジスタのうちトランジスタＳＷ１、ＳＷ２、ＳＷ６がオンしている場合について説明する。
【０１０７】
最初のステップＳ３００において、スイッチング信号を取得する。次のステップＳ３１０において、スイッチング信号に基づいて、トランジスタＳＷ１、ＳＷ２、ＳＷ３（図中上側ＳＷと記す）のうち、オンしているトランジスタの個数（図中ＯＮ数と記す）が０個であるか否かを判定する。
【０１０８】
このとき、トランジスタＳＷ１、ＳＷ２、ＳＷ３（図中上側ＳＷと記す）のうち、トランジスタＳＷ１、ＳＷ２がオンしているので、トランジスタＳＷ１、ＳＷ２、ＳＷ３（図中上側ＳＷと記す）のうちオンしているトランジスタの個数（図中ＯＮ数と記す）が２個であるとしてＮＯと判定する。
【０１０９】
次のステップＳ３２０において、スイッチング信号に基づいて、トランジスタＳＷ１、ＳＷ２、ＳＷ３（図中上側ＳＷと記す）のうち、オンしているトランジスタの個数（図中ＯＮ数と記す）が１であるか否かを判定する。
【０１１０】
このとき、トランジスタＳＷ１、ＳＷ２、ＳＷ３のうちオンしているトランジスタの個数が２であるとして、ステップＳ３２０でＮＯと判定する。
【０１１１】
次のステップＳ３３０において、スイッチング信号に基づいて、トランジスタＳＷ１、ＳＷ２、ＳＷ３（図中上側ＳＷと記す）のうち、オンしているトランジスタの個数（図中ＯＮ数と記す）が２であるか否かを判定する。
【０１１２】
このとき、トランジスタＳＷ１、ＳＷ２、ＳＷ３（図中上側ＳＷと記す）のうちオンしているトランジスタの個数（図中ＯＮ数と記す）が２個であるとしてＹＥＳと判定する。
【０１１３】
ここで、６個のトランジスタのうちトランジスタＳＷ１、ＳＷ２、ＳＷ６がオンしている場合には、図４に示すように、抵抗素子４０ａには、Ｕ相電流ｉｕが電流Ｉａｘとして流れる。
【０１１４】
そこで、ステップＳ３５０に進んで、Ｕ相電流ｉｕとして電流Ｉａｘを取得する。当該電流Ｉａｘは、電圧センサ４７ａの検出電圧Ｖを抵抗素子４０ａの抵抗値Ｒで割り算した値（Ｖ／Ｒ）として求められる。
【０１１５】
次に、図１２のステップＳ３６０において、電流Ｉａｘを三相分取得したか否かを判定する。このとき、電流ＩａｘをＵ相分だけ取得しているので、電流Ｉａｘを三相分取得していないとして、ＮＯと判定する。その後、ステップＳ３００に戻る。
【０１１６】
次に、６個のトランジスタのうちトランジスタＳＷ１、ＳＷ３、ＳＷ５がオンしている場合、および６個のトランジスタのうちトランジスタＳＷ２、ＳＷ３、ＳＷ４がオンしている場合にも、上述のトランジスタＳＷ１、ＳＷ２、ＳＷ６がオンしている場合と同様に、ステップＳ３１０、Ｓ３２０、Ｓ３３０の各処理を実行する。
【０１１７】
それにより、Ｖ相電流ｉｖとして電流Ｉａｘを取得し、Ｗ相電流ｉｗとして電流Ｉａｘを取得する。
【０１１８】
次に、図１２のステップＳ３６０において、電流Ｉａｘを三相分取得しているので、ＹＥＳと判定する。その後、ステップＳ３７０において、上述のステップＳ３５０で取得した三相分の電流Ｉａｘ揃えて三相交流電流ｉｕ、ｉｖ、ｉｗとする。その後、ステップＳ３００に戻る。
【０１１９】
次に、６個のトランジスタのうちトランジスタＳＷ１、ＳＷ２、ＳＷ３がオフしている場合には、ステップＳ３００でスイッチング信号を取得すると、スイッチング信号に基づいてトランジスタＳＷ１、ＳＷ２、ＳＷ３のうちオンしているトランジスタの個数が０であるとしてステップＳ３１０でＹＥＳと判定する。
【０１２０】
ここで、６個のトランジスタのうちトランジスタＳＷ４、ＳＷ５、ＳＷ６がオンしている場合には、図７に示すように、抵抗素子４０ａには、Ｕ相電流ｉｕ、Ｖ相電流ｉｖ、およびＷ相電流ｉｗと足した電流（（ｉｕ＋ｉｖ＋ｉｗ））が電流Ｉａｙとして流れる。
【０１２１】
ここで、電流（ｉｕ＋ｉｖ＋ｉｗ）は、−（中性点電流ｉｎ）に等しい。そこで、ステップＳ４５０に進んで、（−（中性点電流ｉｎ））を取得する。すなわち、６個のトランジスタの動作モードに応じて、抵抗素子４０ａに流れる電流として中性点電流ｉｎを取得することができる。（−（中性点電流ｉｎ））は、電圧センサ４７ａの検出電圧Ｖを抵抗素子４０ａの抵抗値Ｒで割り算した値（Ｖ／Ｒ）として求められる。その後、ステップＳ３００に戻る。
【０１２２】
次に、６個のトランジスタのうちトランジスタＳＷ３、ＳＷ４、ＳＷ５がオンしている場合について説明する。この場合、ステップＳ３００でスイッチング信号を取得してステップＳ３１０に進むと、トランジスタＳＷ１、ＳＷ２、ＳＷ３のうちオンしているトランジスタの個数が０ではなく、１であるとしてＮＯと判定する。
【０１２３】
次のステップＳ３２０において、トランジスタＳＷ１、ＳＷ２、ＳＷ３のうちオンしているトランジスタの個数が１であるとしてＹＥＳと判定する。
【０１２４】
ここで、６個のトランジスタのうちトランジスタＳＷ３、ＳＷ４、ＳＷ５がオンしている場合には、図８に示すように、抵抗素子４０ａには、Ｖ相電流ｉｖとＷ相電流ｉｗと足した電流（ｉｖ＋ｉｗ）が電流Ｉａｚとして流れる。
【０１２５】
ここで、電流（ｉｖ＋ｉｗ）は、−（中性点電流ｉｎ＋Ｕ相電流ｉｕ）に等しい。そこで、ステップＳ３９０に進んで、電流（−（ｉｎ＋ｉｕ））として電流Ｉａｚを取得する。電流Ｉａｚは、電圧センサ４７ａの検出電圧Ｖを抵抗素子４０ａの抵抗値Ｒで割り算した値（Ｖ／Ｒ）として求められる。
【０１２６】
次のステップＳ４００において、中性点電流ｉｎが取得済みであるか否かを判定する。このとき、上述の如く、中性点電流ｉｎが取得済みであるとして、ＹＥＳと判定する。
【０１２７】
次に、図１２のステップＳ４１０に進んで、上述の如くステップＳ３９０で取得した電流（−（ｉｎ＋ｉｕ））から中性点電流ｉｎを消してＵ相電流ｉｕを求める。
【０１２８】
具体的には、電流（−（ｉｎ＋ｉｕ））から上述のステップＳ４５０で求めた（−（中性点電流ｉｎ））を引いて電流（−ｉｕ）を求め、この電流（−ｉｕ）に（−１）を掛けてＵ相電流ｉｕを求める。
【０１２９】
その後、ステップＳ４２０に進んで、電流Ｉａｚを三相分取得したか否かを判定する。このとき、電流ＩａｚをＵ相分だけ取得しているので、電流Ｉａｚを三相分取得していないとして、ＮＯと判定する。その後、ステップＳ３００に戻る。
【０１３０】
次に、６個のトランジスタのうちトランジスタＳＷ２、ＳＷ６、ＳＷ４がオンしている場合、および６個のトランジスタのうちトランジスタＳＷ１、ＳＷ５、ＳＷ６がオンしている場合にも、上述したトランジスタＳＷ３、ＳＷ４、ＳＷ５がオンしている場合と同様、ステップＳ３１０、Ｓ３２０の処理を実行する。それにより、Ｖ相電流ｉｖおよびＷ相電流ｉｗを求める。
【０１３１】
その後、ステップＳ４２０に進んで、電流Ｉａｚを三相分取得したとしてＹＥＳと判定する。その後、ステップＳ４２０に進んで、上述のステップＳ４１０で求めたＵ相電流ｉｕ、Ｖ相電流ｉｖ、Ｗ相電流ｉｗを揃えて三相交流電流ｉｕ、ｉｖ、ｉｗとする。
【０１３２】
このようにステップＳ３７０、Ｓ４３０のうちいずれか一方のステップで求められる三相交流電流ｉｕ、ｉｖ、ｉｗは、ステップＳ１００で電圧指令波ＶＳを算出するために用いられる。すなわち、ステップＳ３７０、Ｓ４３０のうちいずれか一方のステップに進む毎に、ステップＳ１００で電圧指令波ＶＳを算出するための三相交流電流ｉｕ、ｉｖ、ｉｗが更新されることになる。
【０１３３】
以上説明した本実施形態によれば、制御回路５０は、６個のトランジスタのうちトランジスタＳＷ４、ＳＷ５、ＳＷ６がオンしている場合には、抵抗素子４０ａに流れる中性点電流ｉｎを取得する。
【０１３４】
加えて、制御回路５０は、トランジスタＳＷ１、ＳＷ２、ＳＷ３のうち１つのトランジスタがオンし、かつトランジスタＳＷ４、ＳＷ５、ＳＷ６のうち２つのトランジスタがオンしている場合には、抵抗素子４０ａに流れる電流Ｉａｚとして電流（−（ｉｎ＋ｉｕ））、（−（ｉｎ＋ｉｖ））、（−（ｉｎ＋ｉｗ））を取得する。
【０１３５】
ここで、制御回路５０は、電流（−（ｉｎ＋ｉｕ））、（−（ｉｎ＋ｉｖ））、（−（ｉｎ＋ｉｗ））と中性点電流ｉｎとから相電流ｉｕ、ｉｖ、ｉｗを求める。その後、図２のステップＳ１００において、相電流ｉｕ、ｉｖ、ｉｗに基づいて電圧指令波ＶＳを求め、この電圧指令波ＶＳと搬送波Ｋａとの比較に応じて、６個のトランジスタをスイッチング動作させるようにインバータ回路２０を制御する。
【０１３６】
以上により、中性点電流ｉｎを用いて、インバータ回路２０を介して三相交流同期電動機を駆動することになる。
【０１３７】
上述の第１実施形態では、直流電源３を負極母線２１とステータコイル１の中性点１ｘとの間に接続し、かつ中性点１ｘと正極母線２２との間にコンデンサ３０を接続した例を示したが、これに代えて、図１３に示すように、コンデンサ３０を負極母線２１とステータコイル１の中性点１ｘとの間に接続し、かつ中性点１ｘと正極母線２２との間に直流電源３を接続してもよい。
【０１３８】
この場合、上述の第１実施形態と同様に、図１１、図１２の電流算出処理を実施して中性点電流ｉｎ、および三相交流電流ｉｕ、ｉｖ、ｉｗを求めることができる。これにより、中性点電流ｉｎを用いて、インバータ回路２０を介して三相交流同期電動機を駆動することができる。
【０１３９】
（第２実施形態）
上述の第１実施形態では、中性点電流ｉｎを検出するために、負極母線２１とバッテリ３ａのマイナス電極との間に接続された抵抗素子４０ａを用いていたが、これに加えて、ステータコイル１の中性点１ｘとバッテリ３ａのプラス電極との間に接続された抵抗素子を用いる本実施形態について説明する。
【０１４０】
図１４に本実施形態の駆動装置１０の回路構成を示す。図１４は、図１に示す回路構成おいて、抵抗素子４０ｃおよび電圧センサ４７ｃを追加した構成になっている。
【０１４１】
抵抗素子４０ｃは、ステータコイル１の中性点１ｘとバッテリ３ａのプラス電極との間に接続されている。電圧センサ４７ｃは、抵抗素子４０ｃの一方の端子と他方の端子との間の電位差を検出する。
【０１４２】
以下、本実施形態の制御回路５０により中性点電流ｉｎを求める処理について図１５〜図１７を参照して説明する。
【０１４３】
図１５はトランジスタＳＷ３、ＳＷ４、ＳＷ５がオンしている場合を示し、図１６はトランジスタＳＷ２、ＳＷ４、ＳＷ６がオンしている場合を示し、図１７はトランジスタＳＷ１、ＳＷ５、ＳＷ６がオンしている場合を示すインバータ回路およびステータコイルの概略図である。図１５〜図１７中の電流Ｉａｚの流れる方向は矢印の方向を正とする。図１５〜図１７は６個のトランジスタのうちオフしている３つのトランジスタと６個のダイオードとを省略している。
【０１４４】
まず、図１５に示すように、６個のトランジスタのうちトランジスタＳＷ３、ＳＷ４、ＳＷ５がオンしている場合には、上述の第１実施形態と同様、電流（−（ｉｕ＋ｉｎ））として電流Ｉａｚを取得する。これに加えて、抵抗素子４０ｃに流れる中性点電流ｉｎを取得する。中性点電流ｉｎは、電圧センサ４７ｃの検出電圧Ｖを抵抗素子４０ｃの抵抗値Ｒで割り算した値（Ｖ／Ｒ）として求められる。次いで、電流（−（ｉｕ＋ｉｎ））と中性点電流ｉｎとからＵ相電流ｉｕを求める。
【０１４５】
Ｖ相電流ｉｖは図１６の状態、Ｗ相電流ｉｗは図１７の状態となり、Ｕ相電流ｉｕと同様の処理で求めることができる。
【０１４６】
以上のように求められたＵ相電流ｉｕ、Ｖ相電流ｉｖ、Ｗ相電流ｉｗを揃えて三相交流電流とする。このことにより、上述の第１実施形態と同様、電流（−（ｉｎ＋ｉｕ））、（−（ｉｎ＋ｉｖ））、（−（ｉｎ＋ｉｗ））のうち中性点電流ｉｎを相毎に消して相電流ｉｕ、ｉｖ、ｉｗを求め、この相電流ｉｕ、ｉｖ、ｉｗに基づいて三相交流電流を求めることができる。
【０１４７】
このため、インバータ回路２０を制御する際に、本実施形態で求めた三相交流電流と上述の第１実施形態で求めた三相交流電流とをそれぞれ用いることができる。
【０１４８】
上述の第２実施形態では、直流電源３を中性点１ｘと負極母線２１との間に接続し、かつコンデンサ３０を中性点１ｘと正極母線２２との間に接続した駆動装置１０に抵抗素子４０ｃと電圧センサ４７ｃとを追加した例を示したが、これに代えて、次のようにしてもよい。
【０１４９】
すなわち、図１８に示すように、コンデンサ３０を中性点１ｘと負極母線２１との間に接続し、かつ直流電源３を中性点１ｘと正極母線２２との間に接続した駆動装置１０に抵抗素子４０ｃと電圧センサ４７ｃとを追加した回路構成にする。この場合、制御回路５０は、上述の第２実施形態と同様、抵抗素子４０ｃに流れる中性点電流ｉｎを取得することができる。
【０１５０】
（第３実施形態）
上述の第１実施形態では、インバータ回路２０の負極母線２１とバッテリ３ａのマイナス電極との間に抵抗素子を配置した例を示したが、これに代えて、インバータ回路２０の正極母線２２とコンデンサ３０のプラス電極との間に抵抗素子を配置した本第３実施形態について説明する。
【０１５１】
図１９に本実施形態の駆動装置１０の回路構成を示す。図１９は、図１に示す回路構成おいて、抵抗素子４０ａに代わる抵抗素子４０ｂと電圧センサ４７ａに代わる電圧センサ４７ｂを備えた構成になっている。
【０１５２】
抵抗素子４０ｂは、インバータ回路２０の正極母線２２とコンデンサ３０のプラス電極との間に配置されている。電圧センサ４７ｂは、抵抗素子４０ｂの一方の端子と他方の端子との間の電位差を検出する。
【０１５３】
次に、本実施形態の制御回路５０の制御処理について図２０〜図２８を参照して説明する。
【０１５４】
図２０〜図２６は６個のトランジスタのうちいずれか３つのトランジスタがオンしているインバータ回路およびステータコイルを示す概略図である。図２０はトランジスタＳＷ３、ＳＷ４、ＳＷ５がオンしている場合を示し、図２１はトランジスタＳＷ２、ＳＷ４、ＳＷ６がオンしている場合を示し、図２２はトランジスタＳＷ１、ＳＷ５、ＳＷ６がオンしている場合を示している。図２０〜図２２中の電流Ｉｂｘの流れる方向は矢印の方向を正とする。
【０１５５】
図２３はトランジスタＳＷ１、ＳＷ２、ＳＷ３がオンしている場合を示している。図２３中の電流Ｉｂｙの流れる方向は矢印の方向を正とする。図２３は６個のトランジスタのうちオフしている３つのトランジスタおよびダイオードＤ１、Ｄ２、Ｄ３を省略している。
【０１５６】
図２４はトランジスタＳＷ１、ＳＷ２、ＳＷ６がオンしている場合を示し、図２５はトランジスタＳＷ１、ＳＷ３、ＳＷ５がオンしている場合を示し、図２６はトランジスタＳＷ２、ＳＷ３、ＳＷ４がオンしている場合を示している。図２４〜図２６中電流Ｉｂｚの流れる方向は矢印の方向を正とする。図２０〜図２２及び図２４〜図２６は６個のトランジスタのうちオフしている３つのトランジスタおよび６個のダイオードを省略している。
【０１５７】
制御回路５０は、図２に代わる図２７のフローチャートにしたがって、電流算出処理を実行する。図２７において図２と同一符号は同一ステップを示し、その説明を省略する。
【０１５８】
まず、６個のトランジスタのうちトランジスタＳＷ３、ＳＷ４、ＳＷ５がオンしている場合について説明する。
【０１５９】
最初のステップＳ３００において、スイッチング信号を取得する。次のステップＳ３１５において、スイッチング信号に基づいて、トランジスタＳＷ１、ＳＷ２、ＳＷ３（図中上側ＳＷと記す）のうち、オンしているトランジスタの個数（図中ＯＮ数と記す）が３個であるか否かを判定する。
【０１６０】
このとき、トランジスタＳＷ１、ＳＷ２、ＳＷ３（図中上側ＳＷと記す）のうち、トランジスタＳＷ３がオンしているので、トランジスタＳＷ１、ＳＷ２、ＳＷ３（図中上側ＳＷと記す）のうちオンしているトランジスタの個数（図中ＯＮ数と記す）が１個であるとしてＮＯと判定する。
【０１６１】
次のステップＳ３２０に進んで、トランジスタＳＷ１、ＳＷ２、ＳＷ３（図中上側ＳＷと記す）のうち、オンしているトランジスタの個数（図中ＯＮ数と記す）が１であるであるとして、ＹＥＳと判定する。
【０１６２】
ここで、６個のトランジスタのうちトランジスタＳＷ３、ＳＷ４、ＳＷ５がオンしている場合には、図２０に示すように、抵抗素子４０ｂには、Ｕ相電流ｉｕが電流Ｉｂｘとして流れる。電流Ｉｂｘは抵抗素子４０ｂに流れる電流である。
【０１６３】
そこで、ステップＳ３９５に進んで、Ｕ相電流ｉｕとして電流Ｉｂｘを取得する。当該電流Ｉｂｘは、電圧センサ４７ｂの検出電圧Ｖを抵抗素子４０ｂの抵抗値Ｒで割り算した値（Ｖ／Ｒ）として求められる。
【０１６４】
次に、図２８のステップＳ４２５において、電流Ｉｂｘを三相分取得したか否かを判定する。このとき、電流ＩｂｘをＵ相分だけ取得しているので、電流Ｉｂｘを三相分取得していないとして、ＮＯと判定する。その後、ステップＳ３００に戻る。
【０１６５】
次に、６個のトランジスタのうちトランジスタＳＷ２、ＳＷ４、ＳＷ６がオンしている場合、および６個のトランジスタのうちトランジスタＳＷ１、ＳＷ５、ＳＷ６がオンしている場合にも、上述の６個のトランジスタのうちトランジスタＳＷ３、ＳＷ４、ＳＷ５がオンしている場合と同様に、処理を実施する。
【０１６６】
それにより、Ｖ相電流ｉｖとして電流Ｉｂｘを取得し、更にＷ相電流ｉｗとして電流Ｉｂｘを取得する。次に、図２８のステップＳ４２５において、電流ＩｂｘをＵ相、Ｖ相、Ｗ相の３相分取得しているので、ＹＥＳと判定する。
【０１６７】
その後、ステップＳ４３５に進んで、上述のステップＳ３９５で取得したＵ相電流ｉｕ、Ｖ相電流ｉｖ、Ｗ相電流ｉｗを揃えて三相交流電流とする。その後、ステップＳ３００に戻る。
【０１６８】
次に、６個のトランジスタのうちトランジスタＳＷ１、ＳＷ２、ＳＷ３がオンしている場合には、ステップＳ３００でスイッチング信号を取得すると、このスイッチング信号に基づいてトランジスタＳＷ１、ＳＷ２、ＳＷ３のうちオンしているトランジスタの個数が３であるとして、ステップＳ３１５でＹＥＳと判定する。
【０１６９】
ここで、６個のトランジスタのうちトランジスタＳＷ１、ＳＷ２、ＳＷ３がオンしている場合には、図２３に示すように、抵抗素子４０ｂには、Ｕ相電流ｉｕ、Ｖ相電流ｉｖ、およびＷ相電流ｉｗと足した電流（（ｉｕ＋ｉｖ＋ｉｗ））が電流Ｉａｙとして流れる。
【０１７０】
ここで、電流Ｉａｙは、（−（中性点電流ｉｎ））に等しい。そこで、ステップＳ４４７に進んで、（−（中性点電流ｉｎ））を取得する。（−（中性点電流ｉｎ））は、電圧センサ４７ｂの検出電圧Ｖを抵抗素子４０ｂの抵抗値Ｒで割り算した値（Ｖ／Ｒ）として求められる。その後、ステップＳ３００に戻る。
【０１７１】
次に、６個のトランジスタのうちトランジスタＳＷ１、ＳＷ２、ＳＷ６がオンしている場合について説明する。この場合、ステップＳ３００でスイッチング信号を取得してステップＳ３１５に進むと、トランジスタＳＷ１、ＳＷ２、ＳＷ３のうちオンしているトランジスタの個数が３ではなく、２であるとしてＮＯと判定する。
【０１７２】
次のステップＳ３２０において、トランジスタＳＷ１、ＳＷ２、ＳＷ３のうちオンしているトランジスタの個数が２であるとしてＮＯと判定する。
【０１７３】
次のステップＳ３３０において、トランジスタＳＷ１、ＳＷ２、ＳＷ３（図中上側ＳＷと記す）のうちオンしているトランジスタの個数が２であるか否かを判定する。このとき、トランジスタＳＷ１、ＳＷ２、ＳＷ３のうちオンしているトランジスタの個数が２であるとしてステップＳ３３０でＹＥＳと判定する。
【０１７４】
６個のトランジスタのうちトランジスタＳＷ１、ＳＷ２、ＳＷ６がオンしている場合には、図２４に示すように、抵抗素子４０ｂには、Ｖ相電流ｉｖとＷ相電流ｉｗと足した電流（ｉｖ＋ｉｗ）が電流Ｉｂｚとして流れる。
【０１７５】
ここで、電流Ｉｂｚは、−（中性点電流ｉｎ＋Ｕ相電流ｉｕ）に等しい。そこで、ステップＳ３３５に進んで、電流（−（ｉｎ＋ｉｕ））として電流Ｉｂｚを取得する。電流Ｉｂｚは、電圧センサ４７ｂの検出電圧Ｖを抵抗素子４０ｂの抵抗値Ｒで割り算した値（Ｖ／Ｒ）として求められる。
【０１７６】
次に、図２８のステップＳ４０５において、（−（中性点電流ｉｎ））として電流Ｉｂｙは取得済みか否かを判定する。このとき、（−（中性点電流ｉｎ））は上述の如くステップＳ４４５で取得済みであるとしてＹＥＳと判定する。
【０１７７】
次のステップ４１５において、上述の如く取得した電流Ｉｂｚとしての電流（−（ｉｎ＋ｉｕ））から中性点電流ｉｎを消してＵ相電流ｉｕを求める。
【０１７８】
具体的には、電流（−（ｉｎ＋ｉｕ））から（−（中性点電流ｉｎ））を引いて電流（−ｉｕ）を求め、この電流（−ｉｕ）に（−１）を掛けてＵ相電流ｉｕを求める。
【０１７９】
その後、ステップＳ３６５に進んで、相電流を三相分取得したか否かを判定する。このとき、Ｕ相電流ｉｕとして相電流をＵ相分だけ取得しているので、相電流を三相分取得していないとして、ＮＯと判定する。その後、ステップＳ３００に戻る。
【０１８０】
次に、６個のトランジスタのうちトランジスタＳＷ１、ＳＷ３、ＳＷ５がオンしている場合、および６個のトランジスタのうちトランジスタＳＷ２、ＳＷ３、ＳＷ４がオンしている場合にも、上述したトランジスタＳＷ１、ＳＷ２、ＳＷ６がオンしている場合と同様、処理を実施する。それにより、Ｖ相電流ｉｖおよびＷ相電流ｉｗを求める。
【０１８１】
その後、ステップＳ３６５に進んで、相電流を三相分取得したとしてＹＥＳと判定する。その後、ステップＳ３７５に進んで、上述のステップＳ３５５で求めたＵ相電流ｉｕ、Ｖ相電流ｉｖ、Ｗ相電流ｉｗを揃えて三相交流電流ｉｕ、ｉｖ、ｉｗとする。
【０１８２】
このように求められたステップＳ３７０、Ｓ４２０のうちいずれか一方のステップで三相交流電流ｉｕ、ｉｖ、ｉｗを求める毎に、この求められた三相交流電流の相電流ｉｕ、ｉｖ、ｉｗに基づいて電圧指令波ＶＳを求める。
【０１８３】
以上説明した本実施形態によれば、制御回路５０は、６個のトランジスタのうちトランジスタＳＷ１、ＳＷ２、ＳＷ３がオンしている場合には、抵抗素子４０ｂに流れる（−（中性点電流ｉｎ））を取得する。
【０１８４】
加えて、制御回路５０は、トランジスタＳＷ１、ＳＷ２、ＳＷ３のうち２つのトランジスタがオンしている場合には、抵抗素子４０ｂに流れる電流Ｉｂｚとして電流（−（ｉｎ＋ｉｕ））、（−（ｉｎ＋ｉｖ））、（−（ｉｎ＋ｉｗ））を取得する。
【０１８５】
ここで、制御回路５０は、電流（−（ｉｎ＋ｉｕ））、（−（ｉｎ＋ｉｖ））、（−（ｉｎ＋ｉｗ））と（−（中性点電流ｉｎ））とから相電流ｉｕ、ｉｖ、ｉｗを求める。これに伴って、相電流ｉｕ、ｉｖ、ｉｗを揃えて三相交流電流とする。これに伴い、三相交流電流に基づいて電圧指令波ＶＳを求め、この電圧指令波ＶＳと搬送波Ｋａとの比較に応じて、６個のトランジスタをスイッチング動作させるようにインバータ回路２０を制御する。
【０１８６】
以上により、上述の第１実施形態と同様、中性点電流ｉｎを用いて、インバータ回路２０を介して三相交流同期電動機を駆動することになる。
【０１８７】
上述の第３実施形態では、直流電源３を負極母線２１とステータコイル１の中性点１ｘとの間に接続し、かつ中性点１ｘと正極母線２２との間にコンデンサ３０を接続した例を示したが、これに代えて、図２９に示すように、コンデンサ３０を負極母線２１とステータコイル１の中性点１ｘとの間に接続し、かつ中性点１ｘと正極母線２２との間に直流電源３を接続してもよい。
【０１８８】
この場合、上述の第３実施形態と同様に、図２７、図２８の電流算出処理を実施して中性点電流ｉｎ、および三相交流電流ｉｕ、ｉｖ、ｉｗを求めることができる。これにより、中性点電流ｉｎを用いて、インバータ回路２０を介して三相交流同期電動機を駆動することができる。
【０１８９】
（第４実施形態）
上述の第３実施形態では、正極母線２２とコンデンサ３０のプラス電極との間に接続された抵抗素子４０ｂを用いて中性点電流ｉｎを取得したが、これに加えて、ステータコイル１の中性点１ｘとバッテリ３ａのプラス電極との間に接続された抵抗素子を用いて中性点電流ｉｎを取得する本実施形態について説明する。
【０１９０】
図３０に本実施形態の駆動装置１０の回路構成を示す。図３０は、図１９に示す回路構成おいて、抵抗素子４０ｃおよび電圧センサ４７ｃを追加した構成になっている。
【０１９１】
抵抗素子４０ｃは、ステータコイル１の中性点１ｘとバッテリ３ａのプラス電極との間に接続されている。電圧センサ４７ｃは抵抗素子４０ｃの一方の端子と他方の端子との間の電位差を検出する。
【０１９２】
以下、本実施形態の制御回路５０により中性点電流ｉｎを取得する処理について図３１〜図３３を参照して説明する。図３１はトランジスタＳＷ１、ＳＷ２、ＳＷ６がオンしている場合を示し、図３２はトランジスタＳＷ１、ＳＷ３、ＳＷ５がオンしている場合を示し、図３３はトランジスタＳＷ２、ＳＷ３、ＳＷ４がオンしている場合を示すインバータ回路およびステータコイルを示す概略図である。図３１〜図３３中の電流Ｉｂｚの流れる方向は矢印の方向を正とする。図３１〜図３３は６個のトランジスタのうちオフしている３つのトランジスタと６個のダイオードを省略している。
【０１９３】
まず、図３１に示すように、６個のトランジスタのうちトランジスタＳＷ１、ＳＷ２、ＳＷ６がオンしている場合には、上述の第３実施形態と同様、電流（−（ｉｕ＋ｉｎ））として電流Ｉｂｚを取得する。
【０１９４】
これに加えて、抵抗素子４０ｃに流れる中性点電流ｉｎを取得する。中性点電流ｉｎは、電圧センサ４７ｃの検出電圧Ｖを抵抗素子４０ｃの抵抗値Ｒで割り算した値（Ｖ／Ｒ）として求められる。次いで、電流（−（ｉｕ＋ｉｎ））と中性点電流ｉｎとからＵ相電流ｉｕを求める。
【０１９５】
次に、Ｖ相電流ｉｖは図３２に示すようになり、Ｗ相電流ｉｗは図３３に示すようになり、Ｕ相電流ｉｕを求めた処理と同様の処理により求める。
【０１９６】
以上のように求められたＵ相電流ｉｕ、Ｖ相電流ｉｖ、Ｗ相電流ｉｗを揃えて三相交流電流とする。これにより、上述の第３実施形態と同様、電流（−（ｉｎ＋ｉｕ））、（−（ｉｎ＋ｉｖ））、（−（ｉｎ＋ｉｗ））のうち中性点電流ｉｎを相毎に消して相電流ｉｕ、ｉｖ、ｉｗを求め、この相電流ｉｕ、ｉｖ、ｉｗに基づいて三相交流電流を求めることができる。
【０１９７】
上述の第４実施形態では、直流電源３を中性点１ｘと負極母線２１との間に接続し、かつコンデンサ３０を中性点１ｘと正極母線２２との間に接続した駆動装置１０に抵抗素子４０ｃと電圧センサ４７ｃとを追加した例を示したが、これに代えて、次のようにしてもよい。
【０１９８】
すなわち、図３４に示すように、コンデンサ３０を中性点１ｘと負極母線２１との間に接続し、かつ直流電源３を中性点１ｘと正極母線２２との間に接続した駆動装置１０に抵抗素子４０ｃと電圧センサ４７ｃとを追加した回路構成にする。この場合、制御回路５０は、上述の第３実施形態と同様、中性点電流ｉｎ、および相電流ｉｕ、ｉｖ、ｉｗを求めることができる。
【０１９９】
（第５実施形態）
上述の第１実施形態では、電圧指令波ＶＳを算出する際には、１つの三相交流電流を用いた例を示したが、これに代えて、電圧指令波ＶＳを算出する際には、複数の三相交流電流の相毎の平均値を用いる本第５実施形態について説明する。
【０２００】
図３５は本実施形態の駆動装置１０の回路構成を示す。
【０２０１】
本実施形態の駆動装置１０は、図１の駆動装置１０に抵抗素子４０ｂと電圧センサ４７ｂとを追加したものである。抵抗素子４０ｂは、正極母線２２とコンデンサ３０のプラス電極との間に接続されている。電圧センサ４７ｂは抵抗素子４０ｂの一方の端子と他方の端子との間の電位差を検出する。
【０２０２】
次に、本実施形態の作動について図３６〜図４７を参照して説明する。
【０２０３】
図３６〜図４３は６個のトランジスタのうちいずれか３つのトランジスタがオンしているインバータ回路およびステータコイルを示す概略図である。
【０２０４】
図３６はトランジスタＳＷ１、ＳＷ２、ＳＷ６がオンしている場合を示し、図３７はトランジスタＳＷ１、ＳＷ３、ＳＷ５がオンしている場合を示し、図３８はトランジスタＳＷ２、ＳＷ３、ＳＷ４がオンしている場合を示している。
【０２０５】
図３９はトランジスタＳＷ３、ＳＷ４、ＳＷ５がオンしている場合を示し、図４０はトランジスタＳＷ２、ＳＷ４、ＳＷ６がオンしている場合を示し、図４１はトランジスタＳＷ１、ＳＷ５、ＳＷ６がオンしている場合を示している。
【０２０６】
図４２はトランジスタＳＷ４、ＳＷ５、ＳＷ６がオンしている場合を示し、図４３はトランジスタＳＷ１、ＳＷ２、ＳＷ３がオンしている場合を示している。図３６〜図４３中の電流Ｉａの流れる方向は矢印の方向を正とし、電流Ｉｂの流れる方向は矢印の方向を正とし、図３６〜図４３は６個のトランジスタのうちオフしている３つのトランジスタおよび６個のダイオードを省略している。
【０２０７】
図４４は、本実施形態の制御回路５０の電流取得処理を示すフローチャートである。制御回路５０は、図４４のフローチャートにしたがって、電流取得処理を実行する。
【０２０８】
電流取得処理は、繰り返し実行されるもので、電流取得処理の実行は、上述のステップＳ２００でスイッチング信号を算出する毎に、開始される。図４４において、図１１、図１２と同一符号は、同一ステップを示し、その説明を省略する。
【０２０９】
まず、６個のトランジスタのうちトランジスタＳＷ１、ＳＷ２、ＳＷ６がオンしている場合には、最初にステップＳ３００において、スイッチング信号を取得すると、次のステップＳ３１０においてトランジスタＳＷ１、ＳＷ２、ＳＷ３（図中上側ＳＷと記す）のうち、オンしているトランジスタの個数（図中ＯＮ数と記す）が２であるとしてＮＯと判定する。
【０２１０】
次のステップＳ３２０において、トランジスタＳＷ１、ＳＷ２、ＳＷ３（図中上側ＳＷと記す）のうち、オンしているトランジスタの個数（図中ＯＮ数と記す）が２であるとしてＮＯと判定する。
【０２１１】
次のステップＳ３３０において、トランジスタＳＷ１、ＳＷ２、ＳＷ３（図中上側ＳＷと記す）のうちオンしているトランジスタの個数（図中ＯＮ数と記す）が２であるとしてＹＥＳと判定する。
【０２１２】
ここで、図３６に示すように、６個のトランジスタのうちトランジスタＳＷ１、ＳＷ２、ＳＷ６がオンしている場合には、抵抗素子４０ａには、Ｕ相電流ｉｕとして電流Ｉａが流れる。抵抗素子４０ｂには、電流Ｉｂとして電流（−（ｉｕ＋ｉｎ））が流れる。
【０２１３】
そこで、ステップＳ３５０において、抵抗素子４０ａに流れるＵ相電流ｉｕを電流Ｉａとして取得してメモリに記憶する。電流Ｉａは、電圧センサ４７ａの検出電圧Ｖを抵抗素子４０ａの抵抗値Ｒで割り算した値（Ｖ／Ｒ）である。
【０２１４】
加えて、ステップＳ３５１において、電流（−（ｉｕ＋ｉｎ））を電流Ｉｂとして取得してメモリに記憶する。電流Ｉｂは、電圧センサ４７ｂの検出電圧Ｖを抵抗素子４０ｂの抵抗値Ｒで割り算した値（Ｖ／Ｒ）である。その後、ステップＳ３００に戻る。
【０２１５】
次に、６個のトランジスタのうちトランジスタＳＷ１、ＳＷ３、ＳＷ５がオンしている場合には（図３７参照）、上述したトランジスタＳＷ１、ＳＷ２、ＳＷ６がオンしている場合と同様に電流取得処理を実行して、Ｖ相電流ｉｖを電流Ｉａとして取得して、電流（−（ｉｖ＋ｉｎ））を電流Ｉｂとして取得してメモリに記憶する。
【０２１６】
次に、６個のトランジスタのうちトランジスタＳＷ２、ＳＷ３、ＳＷ４がオンしている場合には（図３８参照）、上述したトランジスタＳＷ１、ＳＷ２、ＳＷ６がオンしている場合と同様に電流取得処理を実行して、Ｗ相電流ｉｗを電流Ｉａとして取得して、電流（−（ｉｗ＋ｉｎ））を電流Ｉｂとして取得してメモリに記憶する。
【０２１７】
次に、図３９に示すように、６個のトランジスタのうちトランジスタＳＷ３、ＳＷ４、ＳＷ５がオンしている場合には、ステップＳ３００において、スイッチング信号を取得すると、次のステップＳ３１０においてＮＯと判定する。
【０２１８】
次のステップＳ３２０において、トランジスタＳＷ１、ＳＷ２、ＳＷ３（図中上側ＳＷと記す）のうち、オンしているトランジスタの個数（図中ＯＮ数と記す）が１であるとしてＹＥＳと判定する。
【０２１９】
ここで、図３９に示すように、６個のトランジスタのうちトランジスタＳＷ３、ＳＷ４、ＳＷ５がオンしている場合には、抵抗素子４０ａには電流Ｉａとして電流（−（ｉｕ＋ｉｎ））が流れる。加えて、抵抗素子４０ｂには、電流ＩｂとしてＵ相電流ｉｕが流れる。
【０２２０】
そこで、ステップＳ３９０において、電流（−（ｉｕ＋ｉｎ））を電流Ｉａとして取得してメモリに記憶する。加えて、ステップＳ３９１に進んで、電流ＩｂとしてＵ相電流ｉｕを取得してメモリに記憶する。その後、ステップＳ３００に戻る。
【０２２１】
次に、図４０に示すように、６個のトランジスタのうちトランジスタＳＷ２、ＳＷ４、ＳＷ６がオンしている場合には、６個のトランジスタのうちトランジスタＳＷ３、ＳＷ４、ＳＷ５がオンしている場合と同様、電流取得処理を実行して、電流（−（ｉｖ＋ｉｎ））を電流Ｉａとして取得してメモリに記憶する。さらに、Ｖ相電流ｉｖを電流Ｉｂとして取得してメモリに記憶する。
【０２２２】
次に、図４１に示すように、６個のトランジスタのうちトランジスタＳＷ１、ＳＷ５、ＳＷ６がオンしている場合には、上述したトランジスタＳＷ３、ＳＷ４、ＳＷ５がオンしている場合と同様に電流取得処理を実行して、電流（−（ｉｗ＋ｉｎ））を電流Ｉａとして取得してメモリに記憶する。さらに、Ｗ相電流ｉｗを電流Ｉｂとして取得してメモリに記憶する。
【０２２３】
次に、図４２に示すように、６個のトランジスタのうちトランジスタＳＷ４、ＳＷ５、ＳＷ６がオンしている場合には、ステップＳ３００において、スイッチング信号を取得すると、次のステップＳ３１０においてトランジスタＳＷ１、ＳＷ２、ＳＷ３（図中上側ＳＷと記す）のうち、オンしているトランジスタの個数（図中ＯＮ数と記す）が０であるとしてＹＥＳと判定する。
【０２２４】
ここで、図４２に示すように、６個のトランジスタのうちトランジスタＳＷ４、ＳＷ５、ＳＷ６がオンしている場合には、抵抗素子４０ａには電流Ｉａとして電流（ｉｕ＋ｉｖ＋ｉｗ）が流れる。電流（ｉｕ＋ｉｖ＋ｉｗ）は電流（−ｉｎ）に等しい。そこで、ステップＳ４４３において、電流Ｉａとして電流（−ｉｎ）を取得してメモリに記憶する。その後、ステップＳ３００に戻る。
【０２２５】
次に、図４３に示すように、６個のトランジスタのうちトランジスタＳＷ１、ＳＷ２、ＳＷ３がオンしている場合には、ステップＳ３００において、スイッチング信号を取得すると、次のステップＳ３１０において、トランジスタＳＷ１、ＳＷ２、ＳＷ３（図中上側ＳＷと記す）のうちオンしているトランジスタの個数（図中ＯＮ数と記す）が３であるとしてＮＯと判定する。
【０２２６】
続いて、ステップＳ３２０において、トランジスタＳＷ１、ＳＷ２、ＳＷ３のうちオンしているトランジスタの個数が３であるとしてＮＯと判定する。さらに、次のステップＳ３３０において、トランジスタＳＷ１、ＳＷ２、ＳＷ３のうちオンしているトランジスタの個数（図中ＯＮ数と記す）が３であるとしてＮＯと判定する。
【０２２７】
次のステップＳ４４５において、トランジスタＳＷ１、ＳＷ２、ＳＷ３（図中上側ＳＷと記す）のうちオンしているトランジスタの個数（図中ＯＮ数と記す）が３であるとしてＹＥＳと判定する。
【０２２８】
ここで、図４３に示すように、６個のトランジスタのうちトランジスタＳＷ１、ＳＷ２、ＳＷ３がオンしている場合には、抵抗素子４０ｂには、電流Ｉｂとして電流（ｉｕ＋ｉｖ＋ｉｗ）が流れる。電流（ｉｕ＋ｉｖ＋ｉｗ）は電流（−ｉｎ）に等しい。そこで、ステップＳ４４７において、電流Ｉｂとして電流（−ｉｎ）を取得してメモリに記憶する。その後、ステップＳ３００に戻る。
【０２２９】
以上のように電流取得処理の実行に伴って、６個のトランジスタのうちオンするトランジスタが変わる毎に電流Ｉａまたは電流Ｉｂを取得することになる。このような電流取得処理を実行することにより、−ｉｎ、−（ｉｕ＋ｉｎ）、−（ｉｖ＋ｉｎ）、−（ｉｗ＋ｉｎ）、ｉｕ、ｉｖ、ｉｗを電流Ｉａまたは電流Ｉｂとしてそれぞれメモリに記憶することになる。
【０２３０】
そして、一定期間（以下、サンプリング期間という）に亘って電流取得処理を実行する毎に、サンプリング期間中で取得された電流Ｉａ、Ｉｂに基づいて複数の三相交流電流を算出するとともに、複数の三相交流電流の相毎の平均値を求める。以下、三相交流電流の相毎の平均値を求めるための処理について図４５〜図４７を参照して説明する。
【０２３１】
図４５は三相交流電流を算出するための処理を示すフローチャートである。制御回路５０は、図４５にしたがって、三相交流電流算出処理を実行する。
【０２３２】
まず、ステップＳ５００において、図４４のステップＳ３９１で取得された電流Ｉｂとしての電流ｉｕ、ｉｖ、ｉｗをそれぞれメモリから読み出し、次にステップＳ５１０では、前記読み出した電流ｉｕ、ｉｖ、ｉｗを揃えて三相交流電流とする。
【０２３３】
同様に、図４４のステップＳ３５０で取得された電流Ｉａとしての電流ｉｕ、ｉｖ、ｉｗについても、図４５の三相交流電流算出処理を実行することにより、電流Ｉａとしての電流ｉｕ、ｉｖ、ｉｗを揃えて三相交流電流とする。
【０２３４】
このように、ステップＳ３９１、Ｓ３５０で取得された電流ｉｕ、ｉｖ、ｉｗに基づいて三相交流電流を求めることができる。
【０２３５】
次に、図４４のステップＳ３９０で取得された電流Ｉａとしての−（ｉｕ＋ｉｎ）、−（ｉｖ＋ｉｎ）、−（ｉｗ＋ｉｎ）から三相交流電流を求める例について図４６を参照して説明する。図４６は三相交流電流を算出するための処理を示すフローチャートである。
【０２３６】
制御回路５０は、図４６のフローチャートにしたがって、三相交流電流算出処理を実行する。
【０２３７】
まず、ステップＳ６００において、図４４のステップＳ３９０で取得された電流Ｉａとしての電流（−（ｉｕ＋ｉｎ））をメモリから読み出す。
【０２３８】
次に、ステップＳ６１０において、上述のステップＳ４４３およびステップＳ４４７で取得された複数の電流（−ｉｎ）をメモリから読み出す。
【０２３９】
ここで、ステップＳ６１０で読み出した複数の電流（−ｉｎ）のうち１つの電流（−ｉｎ）は、上述したステップＳ６００で読み出した電流（−（ｉｕ＋ｉｎ））からＵ相電流ｉｕを求める際に用いられる。
【０２４０】
次のステップＳ６２０では、ステップＳ６１０で読み出した複数の電流（−ｉｎ）のうちＵ相電流ｉｕを求めるために用いる電流１つの電流（−ｉｎ）を選択する。
【０２４１】
まず、−（ｉｕ＋ｉｎ）に基づいてＵ相電流ｉｕを求める際に用いる電流（−ｉｎ）は、ステップＳ６１０で読み出した複数の電流（−ｉｎ）のうち、電流（−（ｉｕ＋ｉｎ））を取得したタイミングに近いタイミングで取得した電流（−ｉｎ）を選択する。
【０２４２】
以下、図４８の図表を参照して電流（−（ｉｕ＋ｉｎ））に基づいてＵ相電流ｉｕを求める際に用いる電流（−ｉｎ）を選択する具体例について説明する。
【０２４３】
図４７中（ａ）に示す各図は、サンプリング期間中のタイミング１、２、３…９において６個のトランジスタのうちオンするトランジスタの変化を示すスイッチングパターンを示している。図４７（ｂ）はスイッチングパターン毎に電流Ｉｂとして取得される電流を示している。図４７（ｃ）はスイッチングパターン毎に電流Ｉａとして取得される電流を示している。図４７（ｂ）、（ｃ）では、スイッチングパターン毎に電流Ｉａ、Ｉｂとして取得される電流は、正負の符号を外して示されている。
【０２４４】
図４７には、タイミング１→タイミング２→タイミング３→タイミング４→タイミング５→タイミング６→タイミング７→タイミング８→タイミング９の順に進むにつれて、スイッチングパターンが図３９→図４２→図３９→図３８→図４３→図３８→図３９→図４２→図３９の順に遷移する例が示されている。
【０２４５】
例えば、タイミング７で電流Ｉａとして取得された電流（−（ｉｕ＋ｉｎ））から電流（−ｉｎ）を消してＵ相電流ｉｕを求めるには、タイミング５、８のうちタイミング７に近い一方のタイミングを選択する。
【０２４６】
そして、この選択された一方のタイミングで取得された電流（−ｉｎ）を用いて前記電流（−（ｉｕ＋ｉｎ））から電流（−ｉｎ）を消す。これにより、Ｕ相電流ｉｕを求めることができる。
【０２４７】
次のステップＳ６４０において、三相分の相電流の算出が終了したか否かを判定する。このとき、Ｕ相電流ｉｕだけが算出されているので、三相分の相電流の算出が終了していないとしてＮＯと判定して、ステップＳ６００に戻る。
【０２４８】
この処理を繰り返して、Ｖ相電流ｉｖおよびＷ相電流ｉｗを求める。
【０２４９】
その後、ステップＳ６４０において、三相分の相電流の算出が終了したとしてＹＥＳと判定する。これに伴い、ステップＳ６５０に移行して、上述のステップＳ６３０で取得したＵ相電流ｉｕ、Ｖ相電流ｉｖ、Ｗ相電流ｉｗを揃えて三相交流電流とする。
【０２５０】
同様に、図４４のステップＳ３９１で取得された電流Ｉｂとしての−（ｉｕ＋ｉｎ）、−（ｉｖ＋ｉｎ）、−（ｉｗ＋ｉｎ）についても、図４６の三相交流電流算出処理を実行することにより、Ｕ相電流ｉｕ、Ｖ相電流ｉｖ、Ｗ相電流ｉｗを求め、この求めたＵ相電流ｉｕ、Ｖ相電流ｉｖ、Ｗ相電流ｉｗを揃えて三相交流電流とする。
【０２５１】
以上により、図４４のステップＳ３５０、Ｓ３５１、Ｓ３９０、Ｓ３９１で取得された電流Ｉａ、Ｉｂに基づいて４つの三相交流電流を求めることになる。これに伴い、４つの三相交流電流において相毎に平均値を求める。
【０２５２】
具体的には、当該４つの三相交流電流において、それぞれのＵ相電流をｉｕ（１）、ｉｕ（２）、ｉｕ（３）、ｉｕ（４）とし、それぞれのＶ相電流をｉｖ（１）、ｉｖ（２）、ｉｖ（３）、ｉｖ（４）とし、それぞれのＷ相電流をｉｗ（１）、ｉｗ（２）、ｉｗ（３）、ｉｗ（４）とする。
【０２５３】
そして、Ｕ相電流ｉｕ（１）、ｉｕ（２）、ｉｕ（３）、ｉｕ（４）の平均値ｉｕａｖｅ（＝（ｉｕ（１）＋ｉｕ（２）＋ｉｕ（３）＋ｉｕ（４））／４）を求める。
【０２５４】
次に、Ｖ相電流ｉｖ（１）、ｉｖ（２）、ｉｖ（３）、ｉｖ（４）の平均値ｉｖａｖｅ（＝（ｉｖ（１）＋ｉｖ（２）＋ｉｖ（３）＋ｉｖ（４））／４）を求める。
【０２５５】
次に、Ｗ相電流ｉｗ（１）、ｉｗ（２）、ｉｗ（３）、ｉｗ（４）の平均値ｉｗａｖｅ（＝（ｉｗ（１）＋ｉｗ（２）＋ｉｗ（３）＋ｉｗ（４））／４）を求める。
【０２５６】
以上により、４つの三相交流電流において相毎に平均値ｉｕａｖｅ、ｉｖａｖｅ、ｉｗａｖｅを求めることができる。平均値ｉｕａｖｅ、ｉｖａｖｅ、ｉｗａｖｅを揃えて三相交流電流とし、当該三相交流電流を用いて図２のステップＳ１００において、相毎の電圧指令波ＶＳを求める。そして、電圧指令波ＶＳと搬送波Ｋａとの比較に応じて、６個のトランジスタをスイッチング動作させるようにインバータ回路２０を制御する。
【０２５７】
なお、図４７に示すように、サンプリング期間中において、Ｖ相電流ｉｖ、および電流（−（ｉｖ＋ｉｎ））を取得しない場合には、Ｖ相電流ｉｖの補間値を求めて、このＶ相電流ｉｖの推定値を用いて三相交流電流を求める。
【０２５８】
Ｖ相電流ｉｖの推定値を算出するに際して、サンプリング期間に先だって取得したＶ相電流ｉｖ、或いはサンプリング期間中の前に取得したＵ相電流ｉｕ、Ｗ相電流ｉｗを用いる。
【０２５９】
以上説明した本実施形態によれば、制御回路５０は、抵抗素子４０ａ、４０ｂに流れる電流Ｉａ、Ｉｂとして、−ｉｎ、−（ｉｕ＋ｉｎ）、−（ｉｖ＋ｉｎ）、−（ｉｗ＋ｉｎ）、ｉｕ、ｉｖ、ｉｗを求める。
【０２６０】
これらの電流に基づいて４つの三相交流電流を求めるとともに、４つの三相交流電流における相毎の平均値を求める。この相毎の平均値を揃えて三相交流電流とし、この三相交流電流を用いて相毎の電圧指令波を算出する。
【０２６１】
以上により、上述の第１実施形態と同様、中性点電流ｉｎを用いて、インバータ回路２０を介して三相交流同期電動機を駆動することができる。
【０２６２】
本実施形態では、複数の電流（−ｉｎ）のうち、電流（−（ｉｕ＋ｉｎ））を取得したタイミングに近いタイミングで取得した電流（−ｉｎ）を選択する。
【０２６３】
このため、電流（−（ｉｕ＋ｉｎ））を取得したタイミング７において、中性点１ｘとバッテリ３ａのプラス電極との間に流れる電流に近い値の電流（−ｉｎ）を求めることができる。そして、このように求められた電流を用いるので、精度の高いＵ相電流ｉｕ、Ｖ相電流ｉｖ、Ｗ相電流ｉｗが求まる。
【０２６４】
上述の第５実施形態では、直流電源３を中性点１ｘと負極母線２１との間に接続し、かつコンデンサ３０を中性点１ｘと正極母線２２との間に接続した駆動装置１０に抵抗素子４０ａ、４０ｂと電圧センサ４７ａ、４７ｂとを配置した追加した例を示したが、これに代えて、次のようにしてもよい。
【０２６５】
すなわち、図４８に示すように、コンデンサ３０を中性点１ｘと負極母線２１との間に接続し、かつ直流電源３を中性点１ｘと正極母線２２との間に接続した駆動装置１０に抵抗素子４０ａ、４０ｂと電圧センサ４７ａ、４７ｂとを配置した回路構成にする。この場合、制御回路５０は、上述の第５実施形態と同様、４つの三相交流電流における相毎の平均値を求めることができる。
【０２６６】
（第６実施形態）
上述の第１実施形態では、中性点電流ｉｎを用いて電圧指令波ＶＳを算出して電圧指令波ＶＳを用いてインバータ回路２０を制御する例を示したが、これに代えて、中性点電流ｉｎを用いてインバータ回路２０およびステータコイル１に故障が生じているか否かを判定する第６実施形態について説明する。
【０２６７】
本実施形態の駆動装置１０は、図１の駆動装置１０と同様の回路構成を有している。
【０２６８】
制御回路５０は、上述の第１実施形態と同様に電圧指令波ＶＳと搬送波Ｋａとの比較に応じてインバータ回路２０を制御する三角波比較方式の制御処理（図２参照）と、中性点電流ｉｎに基づいてインバータ回路２０およびステータコイル１に故障が生じているか否かを判定する故障判定処理とを実行する。以下、制御回路５０による故障判定処理の詳細について図４９を参照して説明する。図４９は故障判定処理を示すフローチャートである。
【０２６９】
制御回路５０は、図４９のフローチャートにしたがって、故障判定処理を実行する。故障判定処理の実行は、三角波比較方式の制御処理の実行に伴って、スイッチング信号を算出する毎に、開始される。
【０２７０】
まず、ステップＳ７００において、スイッチング信号を取得する。次のステップＳ７１０においてスイッチング信号に基づいて、トランジスタＳＷ１、ＳＷ２、ＳＷ３（図中上側ＳＷと記す）のうち、オンしているトランジスタの個数（図中ＯＮ数と記す）が０個であるか否かを判定する。
【０２７１】
このとき、トランジスタＳＷ１、ＳＷ２、ＳＷ３（図中上側ＳＷと記す）のうちオンしているトランジスタの個数（図中ＯＮ数と記す）が０個であるときには、ＹＥＳと判定する。この場合、図７に示すように、電流（−ｉｎ）が抵抗素子４０ａに流れる。そこで、ステップＳ７４０に進んで、電流（−ｉｎ）を取得する。
【０２７２】
次のステップＳ７４０において、当該電流（−ｉｎ）に（−１）を掛けて中性点電流ｉｎを求め、この中性点電流ｉｎに基づいてインバータ回路２０および三相交流同期電動機のうち一方に故障が生じているか否かを判定する。
【０２７３】
具体的には、中性点電流ｉｎが所定値以上であるか否かを判定することにより、インバータ回路２０およびステータコイル１のうち一方に故障が生じているか否かを判定する。
【０２７４】
例えば、ステータコイル１とグランドとの間の絶縁抵抗が小さくなる地絡故障が生じて、ステータコイル１からグランドに直接電流が流れると、中性点電流ｉｎとして大きな電流が流れる場合がある。
【０２７５】
また、トランジスタＳＷ４、ＳＷ５、ＳＷ６のうちいずれかのトランジスタにおいてエミッタ端子とコレクタ端子との間に短絡する短絡故障が生じると、この故障が生じたトランジスタのエミッタ端子とコレクタ端子との間には、大きな電流が流れる。これに伴い、中性点電流ｉｎとして大きな電流が流れる場合がある。
【０２７６】
このように故障が生じて中性点電流ｉｎとして第１の閾値Ｋ１以上の電流が流れると、故障が生じているとして、ステップＳ７４０でＹＥＳと判定する。
【０２７７】
また、ステータコイル１の中性点１ｘとバッテリ３ａのプラス電極との間が断線すると、中性点電流ｉｎが流れなくなる場合がある。
【０２７８】
そこで、中性点電流ｉｎとして第２の閾値Ｋ２（＜Ｋ１）未満の電流が流れると、故障が生じているとして、ステップＳ７４０でＹＥＳと判定する。
【０２７９】
このようにステップＳ７４０でＹＥＳと判定すると、次のステップＳ７５０において、インバータ回路２０を制御して６個のトランジスタのスイッチング動作を停止させる。
【０２８０】
また、中性点電流ｉｎが第２の閾値Ｋ２以上で、かつ第１の閾値Ｋ１未満であるときには、インバータ回路２０およびステータコイル１に故障が生じていないとしてＮＯと判定する。
【０２８１】
以上説明した本実施形態によれば、制御回路５０は、抵抗素子４０ａに流れる電流として中性点電流ｉｎを取得し、この取得された中性点電流ｉｎを用いてインバータ回路２０およびステータコイル１に故障が生じているか否かを判定することができる。
【０２８２】
以上により、制御回路５０は、中性点電流ｉｎを用いて、インバータ回路２０を介して三相交流同期電動機を駆動することができる。
【０２８３】
上述の第６実施形態では、図１の駆動装置１０においてインバータ回路２０およびステータコイル１に故障が生じているか否かを判定する例を示したが、これに代えて、図１３の駆動装置１０においてインバータ回路２０およびステータコイル１に故障が生じているか否かを判定するようにしてもよい。
【０２８４】
また、これに代えて、図１４、図１８、図１９、図２９、図３０、図３４、図３５、図４８のそれぞれの駆動装置１０においてインバータ回路２０およびステータコイル１に故障が生じているか否かを判定するようにしてもよい。
【０２８５】
（第７実施形態）
上述の第１実施形態では、コンデンサ３０を正極母線２２とステータコイル１の中性点１ｘとの間に接続した例を示したが、これに代えて、コンデンサ３０を正極母線２２と負極母線２１との間に接続した本実施形態について説明する。
【０２８６】
図５０に本実施形態の駆動装置１０の回路構成を示す。図５０は、図１に示す回路構成おいて、抵抗素子４０ａおよび電圧センサ４７ａを負極母線２１とバッテリ３ａのマイナス電極との間ではなく、負極母線２１とコンデンサ３０のマイナス電極との間に接続したものである。直流電源３のマイナス電極および負極母線２１が互いに同電位になるようにグランドに接続されている。図５０において、図１と同一符号のものは、同一のものを示す。
【０２８７】
次に、本実施形態の電流算出処理について図５１〜図５８を参照して説明する。
【０２８８】
図５１〜図５７は６個のトランジスタのうちいずれか３つのトランジスタがオンしているインバータ回路およびステータコイルを示す概略図である。
【０２８９】
図５１はトランジスタＳＷ１、ＳＷ２、ＳＷ３がオンしている場合を示している。図５１中の電流Ｉａｙの流れる方向は矢印の方向を正とする。図５１は６個のトランジスタのうちオフしている３つのトランジスタとダイオードＤ１、Ｄ２、Ｄ３を省略している。
【０２９０】
図５２はトランジスタＳＷ１、ＳＷ２、ＳＷ６がオンしている場合を示し、図５３はトランジスタＳＷ１、ＳＷ３、ＳＷ５がオンしている場合を示し、図５４はトランジスタＳＷ２、ＳＷ３、ＳＷ４がオンしている場合を示している。図５２〜図５４中の電流Ｉａｘの流れる方向は矢印の方向を正とする。図５２〜図５４は６個のトランジスタのうちオフしている３つのトランジスタと６個のダイオードを省略している。
【０２９１】
図５５はトランジスタＳＷ３、ＳＷ４、ＳＷ５がオンしている場合を示し、図５６はトランジスタＳＷ２、ＳＷ４、ＳＷ６がオンしている場合を示し、図５７はトランジスタＳＷ１、ＳＷ５、ＳＷ６がオンしている場合を示している。図５５〜図５７中電流Ｉａｚの流れる方向は矢印の方向を正とする。図５５〜図５７は６個のトランジスタのうちオフしている３つのトランジスタと６個のダイオードを省略している。
【０２９２】
図５８は、電流算出処理を示すフローチャートである。図５８において、図１１、図１２と同一の符号は、同一のステップを示し、その説明を簡略化する。制御回路５０は、図５８のフローチャートにしたがって、電流算出処理を実行する。
【０２９３】
以下、本実施形態の電流算出処理の概略について説明する。
【０２９４】
まず、６個のトランジスタのうちトランジスタＳＷ１、ＳＷ２、ＳＷ３がオンしている場合には、図５１に示すように、抵抗素子４０ａには、電流（ｉｕ＋ｉｖ＋ｉｗ）が電流Ｉａｙとして流れる。
【０２９５】
ここで、上述の如くトランジスタＳＷ１、ＳＷ２、ＳＷ３がオンしている場合には、トランジスタＳＷ１、ＳＷ２、ＳＷ３のうち、オンしているトランジスタの個数（以下、上側ＳＷのＯＮ数という）が３である。このため、ステップＳ３００において、スイッチング信号を取得した後、次のステップＳ３１０において、上側ＳＷのＯＮ数が０ではないとしてＮＯと判定する。次のステップＳ３２０では、上側ＳＷのＯＮ数が１ではないとしてＮＯと判定した後に、ステップＳ３３０では、上側ＳＷのＯＮ数が２ではないとしてＮＯと判定する。
【０２９６】
その後、ステップＳ４５０において、電流（ｉｕ＋ｉｖ＋ｉｗ）としての電流Ｉａｙを取得する。電流（ｉｕ＋ｉｖ＋ｉｗ）は、−（中性点電流ｉｎ）に等しい。このため、電流（ｉｕ＋ｉｖ＋ｉｗ）に（−１）を掛けることにより中性点電流ｉｎを求めることができる。
【０２９７】
次に、６個のトランジスタのうちトランジスタＳＷ１、ＳＷ２、ＳＷ６がオンしている場合には、図５２に示すように、抵抗素子４０ａには、−（ｉｕ＋ｉｎ）が電流Ｉａｘとして流れる。
【０２９８】
ここで、上述の如くトランジスタＳＷ１、ＳＷ２、ＳＷ６がオンしている場合には、上側ＳＷのＯＮ数が２である。このため、ステップＳ３００において、スイッチング信号を取得した後、次のステップＳ３１０において、ＮＯと判定した後に、次のステップＳ３２０では、ＮＯと判定する。その後、ステップＳ３３０では、上側ＳＷのＯＮ数が２であるとしてＹＥＳと判定する。
【０２９９】
これに伴い、ステップＳ３５０において、−（ｉｕ＋ｉｎ）を電流Ｉａｘとして取得する。次のステップＳ３５５において、上述の如く取得した電流（−（ｉｎ＋ｉｕ））に、上述の如く求めた中性点電流ｉｎを足して電流（−ｉｕ）を求め、この電流（−ｉｕ）に（−１）を掛けてＵ相電流ｉｕを求める。
【０３００】
また、６個のトランジスタのうちトランジスタＳＷ１、ＳＷ３、ＳＷ５がオンしている場合（図５３参照）、上述したトランジスタＳＷ１、ＳＷ２、ＳＷ６がオンしている場合と同様に処理して、Ｖ相電流ｉｖを求める。
【０３０１】
同様に、６個のトランジスタのうちトランジスタＳＷ２、ＳＷ３、ＳＷ４がオンしている場合（図５４参照）、Ｗ相電流ｉｗを求める。
【０３０２】
その後、ステップＳ３６０において、電流Ｉａｘを三相分取得したとして、ＹＥＳと判定すると、次のステップＳ３７０では、上述の如く求められたＵ相電流ｉｕ、Ｖ相電流ｉｖ、Ｗ相電流ｉｗを揃えて三相交流電流ｉｕ、ｉｖ、ｉｗとする。
【０３０３】
次に、６個のトランジスタのうちトランジスタＳＷ３、ＳＷ４、ＳＷ５がオンしている場合には、図５５に示すように、抵抗素子４０ａには、−（Ｕ相電流ｉｕ）が電流Ｉａｚとして流れる。
【０３０４】
ここで、上述の如くトランジスタＳＷ３、ＳＷ４、ＳＷ５がオンしている場合には、上側ＳＷのＯＮ数が１である。このため、ステップＳ３００において、スイッチング信号を取得した後、次のステップＳ３１０において、ＮＯと判定した後に、次のステップＳ３２０では、上側ＳＷのＯＮ数が１であるとしてＹＥＳと判定する。
【０３０５】
このため、ステップＳ３９０において、−（Ｕ相電流ｉｕ）を電流Ｉａｚとして取得する。そして、電流Ｉａｚに（−１）を掛けてＵ相電流ｉｕを求める。
【０３０６】
また、６個のトランジスタのうちトランジスタＳＷ２、ＳＷ４、ＳＷ６がオンしている場合（図５６参照）、上述したトランジスタＳＷ３、ＳＷ４、ＳＷ５がオンしている場合と同様に処理して、Ｖ相電流ｉｖを求める。
【０３０７】
同様に、６個のトランジスタのうちトランジスタＳＷ１、ＳＷ２、ＳＷ６がオンしている場合（図５７参照）、Ｗ相電流ｉｗを求める。
【０３０８】
その後、ステップＳ４２０において、電流Ｉａｚを三相分取得したとして、ＹＥＳと判定すると、ステップＳ４３０では、上述の如く求められたＵ相電流ｉｕ、Ｖ相電流ｉｖ、Ｗ相電流ｉｗを揃えて三相交流電流ｉｕ、ｉｖ、ｉｗとする。
【０３０９】
そして、ステップＳ３７０、Ｓ４３０のうちいずれか一方のステップで求められる三相交流電流ｉｕ、ｉｖ、ｉｗは、ステップＳ１００で電圧指令波ＶＳを算出するために用いられる。
【０３１０】
上述の第７実施形態では、相電流ｉｕ、ｉｖ、ｉｗを求めるために中性点電流ｉｎを用いた例を示したが、これに代えて、上述の第６実施形態と同様に、中性点電流ｉｎを用いてインバータ回路２０および三相交流同期電動機のうち一方に故障が生じているか否かを判定するようにしてもよい。
【０３１１】
（第８実施形態）
次に、上述の第７実施形態において、負極母線２１とコンデンサ３０のマイナス電極との間に接続された抵抗素子４０ａを用いて中性点電流ｉｎを取得したが、これに加えて、負極母線２１と直流電源３のマイナス電極との間に接続された抵抗素子を用いて中性点電流ｉｎを取得する本実施形態について説明する。
【０３１２】
図５９に本実施形態の駆動装置１０の回路構成を示す。図５９は、図５０に示す回路構成おいて、抵抗素子４０ｂおよび電圧センサ４７ｂを追加した構成になっている。
【０３１３】
抵抗素子４０ｂは、負極母線２１とバッテリ３ａのマイナス電極との間に接続されている。電圧センサ４７ｂは、抵抗素子４０ｂの一方の端子と他方の端子との間の電位差を検出する。
【０３１４】
次に、本実施形態の作動について説明する。
【０３１５】
図６０〜図６７は６個のトランジスタのうちいずれか３つのトランジスタがオンしているインバータ回路およびステータコイルを示す概略図である。
【０３１６】
図６０はトランジスタＳＷ１、ＳＷ２、ＳＷ６がオンしている場合を示し、図６１はトランジスタＳＷ１、ＳＷ３、ＳＷ５がオンしている場合を示し、図６２はトランジスタＳＷ２、ＳＷ３、ＳＷ４がオンしている場合を示している。
【０３１７】
図６３はトランジスタＳＷ３、ＳＷ４、ＳＷ５がオンしている場合を示し、図６４はトランジスタＳＷ２、ＳＷ４、ＳＷ６がオンしている場合を示し、図６５はトランジスタＳＷ１、ＳＷ５、ＳＷ６がオンしている場合を示している。
【０３１８】
図６６はトランジスタＳＷ４、ＳＷ５、ＳＷ６がオンしている場合を示し、図６７はトランジスタＳＷ１、ＳＷ２、ＳＷ３がオンしている場合を示している。  図６０〜図６７中の電流Ｉａの流れる方向は矢印の方向を正とし、電流Ｉｂの流れる方向は矢印の方向を正とし、図６１〜図６５は６個のトランジスタのうちオフしている３つのトランジスタおよび６個のダイオードを省略している。図６６は６個のトランジスタのうちオフしている３つのトランジスタおよびダイオードＤ４、Ｄ５、Ｄ６を省略している。図６７は６個のトランジスタのうちオフしている３つのトランジスタおよびダイオードＤ１、Ｄ２、Ｄ３を省略している。
【０３１９】
図６８は、本実施形態の制御回路５０の電流取得処理を示すフローチャートである。図６８において、図４４と同一符号は、同一ステップを示し、その説明を省略する。制御回路５０は、図６８のフローチャートにしたがって、電流取得処理を実行する。
【０３２０】
まず、６個のトランジスタのうちトランジスタＳＷ１、ＳＷ２、ＳＷ６がオンしている場合、トランジスタＳＷ１、ＳＷ２、ＳＷ３のうち、オンしているトランジスタの個数（以下、上側ＳＷのＯＮ数という）が２となる。
【０３２１】
この場合、ステップＳ３００において、スイッチング信号を取得すると、次のステップＳ３１０において、上側ＳＷのＯＮ数が０ではないとして、ＮＯと判定する。次のステップＳ３２０において、上側ＳＷのＯＮ数が１でないとしてＮＯと判定する。次のステップＳ３３０において、上側ＳＷのＯＮ数が２であるとしてＹＥＳと判定する。
【０３２２】
ここで、図６０に示すように、６個のトランジスタのうちトランジスタＳＷ１、ＳＷ２、ＳＷ６がオンしている場合には、抵抗素子４０ａには、電流（ｉｕ＋ｉｎ）として電流Ｉａが流れる。抵抗素子４０ｂには、電流（−ｉｎ）として電流Ｉｂが流れる。
【０３２３】
そこで、ステップＳ３５０において、抵抗素子４０ａに流れる電流（ｉｕ＋ｉｎ）を電流Ｉａとして取得する。電流Ｉａは、電圧センサ４７ａの検出電圧Ｖを抵抗素子４０ａの抵抗値Ｒで割り算した値（Ｖ／Ｒ）である。
【０３２４】
加えて、ステップＳ３５１において、中性点電流ｉｎを電流Ｉｂとして取得する。電流Ｉｂは、電圧センサ４７ｃの検出電圧Ｖを抵抗素子４０ｃの抵抗値Ｒで割り算した値（Ｖ／Ｒ）である。さらに、次のステップＳ４４８において、電流Ｉａとしての電流（ｉｕ＋ｉｎ）から、電流Ｉｂとしての中性点電流ｉｎを引いてＵ相電流ｉｕを求める。その後、ステップＳ３００に戻る。
【０３２５】
また、６個のトランジスタのうちトランジスタＳＷ１、ＳＷ３、ＳＷ５がオンしている場合には（図６１参照）、上述したトランジスタＳＷ１、ＳＷ２、ＳＷ６がオンしている場合と同様に電流取得処理を実行して、電流（ｉｖ＋ｉｎ）を電流Ｉａとして取得して、電流（−ｉｎ）を電流Ｉｂとして取得する。
【０３２６】
この場合、ステップＳ４４８において、電流Ｉａとしての電流（ｉｖ＋ｉｎ）から、電流Ｉｂとしての中性点電流ｉｎを引いてＶ相電流ｉｖを求める。
【０３２７】
さらに、６個のトランジスタのうちトランジスタＳＷ２、ＳＷ３、ＳＷ４がオンしている場合には（図６２参照）、上述したトランジスタＳＷ１、ＳＷ２、ＳＷ６がオンしている場合と同様に電流取得処理を実行して、電流（ｉｗ＋ｉｎ）を電流Ｉａとして取得して、電流（−ｉｎ）を電流Ｉｂとして取得してメモリに記憶する。
【０３２８】
この場合も、ステップＳ４４８に進んで、電流Ｉａとしての電流（ｉｗ＋ｉｎ）から、電流Ｉｂとしての中性点電流ｉｎを引いてＷ相電流ｉｗを求める。
【０３２９】
次に、６個のトランジスタのうちトランジスタＳＷ３、ＳＷ４、ＳＷ５がオンしている場合（図６３参照）、上側ＳＷのＯＮ数が１となる。この場合、ステップＳ３００において、スイッチング信号を取得すると、次のステップＳ３１０において、上側ＳＷのＯＮ数が０ではないとして、ＮＯと判定する。次のステップＳ３２０において、上側ＳＷのＯＮ数が１であるとしてＹＥＳと判定する。
【０３３０】
ここで、６個のトランジスタのうちトランジスタＳＷ３、ＳＷ４、ＳＷ５がオンしている場合には、抵抗素子４０ａには電流Ｉａとして電流（−ｉｕ）が流れる。加えて、抵抗素子４０ｂには、電流Ｉｂとして電流（−ｉｎ）が流れる。
【０３３１】
そこで、ステップＳ３９０において、電流（−ｉｕ）を電流Ｉａとして取得する。加えて、ステップＳ３９１に進んで、電流Ｉｂとして電流（−ｉｎ）を取得する。その後、ステップＳ４４８をパスしてステップＳ３００に戻る。
【０３３２】
また、６個のトランジスタのうちトランジスタＳＷ２、ＳＷ４、ＳＷ６がオンしている場合（図６４参照）、６個のトランジスタのうちトランジスタＳＷ３、ＳＷ４、ＳＷ５がオンしている場合と同様、電流取得処理を実行して、電流（−ｉｖ）を電流Ｉａとして取得してメモリに記憶する。さらに、電流（−ｉｎ）を電流Ｉｂとして取得する。
【０３３３】
次に、６個のトランジスタのうちトランジスタＳＷ１、ＳＷ５、ＳＷ６がオンしている場合（図６５参照）、上述したトランジスタＳＷ３、ＳＷ４、ＳＷ５がオンしている場合と同様に電流取得処理を実行して、電流（−ｉｗ）を電流Ｉａとして取得する。さらに、電流（−ｉｎ）を電流Ｉｂとして取得する。
【０３３４】
次に、６個のトランジスタのうちトランジスタＳＷ４、ＳＷ５、ＳＷ６がオンしている場合（図６６参照）、上側ＳＷのＯＮ数が０になる。このため、ステップＳ３００において、スイッチング信号を取得すると、次のステップＳ３１０においてＹＥＳと判定する。
【０３３５】
ここで、６個のトランジスタのうちトランジスタＳＷ４、ＳＷ５、ＳＷ６がオンしている場合には、抵抗素子４０ｂには電流Ｉｂとして電流（−ｉｎ））が流れる。そこで、ステップＳ４４３ａにおいて、電流Ｉｂとして電流（−ｉｎ）を取得する。その後、ステップＳ４４８をパスして、ステップＳ３００に戻る。
【０３３６】
次に、６個のトランジスタのうちトランジスタＳＷ１、ＳＷ２、ＳＷ３がオンしている場合（図６７参照）、上側ＳＷのＯＮ数が３になる。したがって、ステップＳ３００において、スイッチング信号を取得すると、次のステップＳ３１０において、上側ＳＷのＯＮ数が０ではないとしてＮＯと判定する。
【０３３７】
次のステップＳ３２０において、上側ＳＷのＯＮ数が１ではないとしてＮＯと判定する。続いて、ステップＳ３３０において、上側ＳＷのＯＮ数が２ではないとしてＮＯと判定する。さらに、次のステップＳ３３０において、上側ＳＷのＯＮ数が３であるとしてＹＥＳと判定する。
【０３３８】
ここで、図６７に示すように、６個のトランジスタのうちトランジスタＳＷ１、ＳＷ２、ＳＷ３がオンしている場合には、抵抗素子４０ｂには、電流Ｉｂとして電流（−ｉｎ）が流れる。そこで、ステップＳ４４７において、電流Ｉｂとして電流（−ｉｎ）を取得する。その後、ステップＳ４４８をパスして、ステップＳ３００に戻る。
【０３３９】
以上のように電流取得処理の実行に伴って、６個のトランジスタのうちオンするトランジスタが変化する毎に電流Ｉａ、Ｉｂが変わる。これに加えて、ステップＳ３９０に進む毎に電流Ｉａとしての電流（−ｉｕ、−ｉｖ、−ｉｗ）を取得し、さらにステップＳ４４８に進む毎に電流ｉｕ、ｉｖ、ｉｗを取得することになる。
【０３４０】
図６９において一定期間において取得された電流Ｉａ、Ｉｂの具体例を示す。
【０３４１】
図６９中（ａ）に示す各図は、サンプリング期間中のタイミング１、２、３…９において６個のトランジスタのうちオンするトランジスタの変化を示すスイッチングパターンを示している。図６９（ｂ）はスイッチングパターン毎に電流Ｉｂとして取得される電流を示している。図６９（ｃ）はスイッチングパターン毎に電流Ｉａとして取得される電流を示している。図６９（ｂ）、（ｃ）では、スイッチングパターン毎に電流Ｉａ、Ｉｂとして取得される電流は、正負の符号を外して示されている。
【０３４２】
図６９には、タイミング１→タイミング２→タイミング３→タイミング４→タイミング５→タイミング６→タイミング７→タイミング８→タイミング９の順に進むにつれて、スイッチングパターンが図６０→図６６→図６０→図６５→図６７→図６５→図６０→図６６→図６５の順に遷移する例が示されている。
【０３４３】
ここで、タイミング１、３、７の場合には、図６８のステップＳ４４８でＵ相電流ｉｕを求めることができる。したがって、タイミング１→タイミング２→…タイミング８→タイミング９の順に進むにつれて、ステップＳ４４８またはＳ３９０で相電流として取得できる電流が、Ｕ相電流ｉｕ→Ｕ相電流ｉｕ→Ｗ相電流ｉｗ→Ｗ相電流ｉｗ→Ｕ相電流ｉｕ→Ｗ相電流ｉｗの順に遷移することになる。タイミング２、５、８では、相電流を取得することができない。そして、このように求められた相電流を三相分揃えて三相交流電流とする。
【０３４４】
なお、図６９に示すように、一定期間中において、Ｖ相電流ｉｖ、および電流（−（ｉｖ＋ｉｎ））を取得しない場合には、Ｖ相電流ｉｖの補間値を推定し、この推定されたＶ相電流ｉｖの補間値を用いて三相交流電流を求める。
【０３４５】
上述の第８実施形態では、相電流ｉｕ、ｉｖ、ｉｗを求めるために中性点電流ｉｎを用いた例を示したが、これに代えて、電流Ｉａ、Ｉｂとして求められた中性点電流ｉｎを用いて、上述の第６実施形態と同様、インバータ回路２０および三相交流同期電動機のうち一方に故障が生じているか否かを判定するようにしてもよい。
【０３４６】
（第９実施形態）
上述の第７実施形態では、直流電源３を負極母線２１とステータコイル１の中性点１ｘとの間に接続した例を示したが、これに代えて、直流電源３を正極母線２２とステータコイル１の中性点１ｘとの間に接続した本実施形態について説明する。
【０３４７】
図７０に本実施形態の駆動装置１０の回路構成を示す。図７０は、図５０に示す回路構成おいて、直流電源３を正極母線２２とステータコイル１の中性点１ｘとの間に接続したものである。図７０において、図５０と同一符号のものは、同一のものを示す。
【０３４８】
次に、本実施形態の電流算出処理について説明する。
【０３４９】
図７１〜図７７は６個のトランジスタのうちいずれか３つのトランジスタがオンしているインバータ回路およびステータコイルを示す概略図である。
【０３５０】
図７１はトランジスタＳＷ１、ＳＷ２、ＳＷ６がオンしている場合を示し、図７２はトランジスタＳＷ１、ＳＷ３、ＳＷ５がオンしている場合を示し、図７３はトランジスタＳＷ２、ＳＷ３、ＳＷ４がオンしている場合を示している。図７１〜図７３中の電流Ｉａｘの流れる方向は矢印の方向を正とする。図７１〜図７３は６個のトランジスタのうちオフしている３つのトランジスタと６個のダイオードを省略している。
【０３５１】
図７４はトランジスタＳＷ３、ＳＷ４、ＳＷ５がオンしている場合を示し、図７５はトランジスタＳＷ２、ＳＷ４、ＳＷ６がオンしている場合を示し、図７６はトランジスタＳＷ１、ＳＷ５、ＳＷ６がオンしている場合を示している。図７４〜図７６中電流Ｉａｚの流れる方向は矢印の方向を正とする。図７４〜図７６は６個のトランジスタのうちオフしている３つのトランジスタと６個のダイオードを省略している。
【０３５２】
図７７はトランジスタＳＷ４、ＳＷ５、ＳＷ６がオンしている場合を示している。図７７中の電流Ｉａｙの流れる方向は矢印の方向を正とする。図７７は６個のトランジスタのうちオフしている３つのトランジスタとダイオードＤ４、Ｄ５、Ｄ６を省略している。
【０３５３】
制御回路５０は、図１１、図１２のフローチャートにしたがって、電流算出処理を実行する。本実施形態の電流算出処理は、上述の第１実施形態と同様であるため、本実施形態の電流算出処理の概略について説明する。
【０３５４】
まず、６個のトランジスタのうちトランジスタＳＷ１、ＳＷ２、ＳＷ６がオンしている場合（図７１参照）、抵抗素子４０ａには、上述の第１実施形態と同様に、Ｕ相電流ｉｕが電流Ｉａｘとして流れる。そこで、上述の第１実施形態と同様に、ステップＳ３００、Ｓ３１０、Ｓ３２０、Ｓ３３０の各処理を実行する。それにより、Ｕ相電流ｉｕとして電流Ｉａｘを取得する。
【０３５５】
次に、６個のトランジスタのうちトランジスタＳＷ１、ＳＷ３、ＳＷ５がオンしている場合（図７２参照）、および６個のトランジスタのうちトランジスタＳＷ２、ＳＷ３、ＳＷ４がオンしている場合（図７３参照）には、上述のトランジスタＳＷ１、ＳＷ２、ＳＷ６がオンしている場合と同様に各処理を実行することにより、Ｖ相電流ｉｖとして電流Ｉａｘを取得し、Ｗ相電流ｉｗとして電流Ｉａｘを取得する。
【０３５６】
次に、６個のトランジスタのうちトランジスタＳＷ３、ＳＷ４、ＳＷ５がオンしている場合（図７４参照）、上述の第１実施形態と同様に、抵抗素子４０ａには、電流（−（ｉｎ＋ｉｕ））が電流Ｉａｚとして流れる。そこで、上述の第１実施形態と同様に、ステップＳ３００、Ｓ３１０、Ｓ３２０、Ｓ３９０の各処理を実行する。それにより、電流（−（ｉｎ＋ｉｕ））として電流Ｉａｘを取得する。
【０３５７】
次に、６個のトランジスタのうちトランジスタＳＷ２、ＳＷ４、ＳＷ６がオンしている場合（図７５参照）、および６個のトランジスタのうちトランジスタＳＷ１、ＳＷ５、ＳＷ６がオンしている場合（図７６参照）には、上述のトランジスタＳＷ３、ＳＷ４、ＳＷ５がオンしている場合と同様に各処理を実行することにより、電流（−（ｉｎ＋ｉｖ））として電流Ｉａｚを取得し、電流（−（ｉｎ＋ｉｗ））として電流Ｉａｚを取得する。
【０３５８】
次に、６個のトランジスタのうちトランジスタＳＷ４、ＳＷ５、ＳＷ６がオンしている場合（図７７参照）、上述の第１実施形態と同様に、電流（−ｉｎ）が抵抗素子４０ａに流れる。そこで、上述の第１実施形態と同様に、ステップＳ３００、Ｓ３１０、Ｓ４５０の各処理を実行することにより、電流（−ｉｎ）として電流Ｉａｙを取得する。
【０３５９】
上述の第９実施形態では、相電流ｉｕ、ｉｖ、ｉｗを求めるために中性点電流ｉｎを用いた例を示したが、これに代えて、電流Ｉａｙとして求められた中性点電流ｉｎを用いて、上述の第６実施形態と同様、インバータ回路２０および三相交流同期電動機のうち一方に故障が生じているか否かを判定するようにしてもよい。
【０３６０】
（第１０実施形態）
次に、上述の第８実施形態の駆動装置１０において、直流電源３のプラス電極と正極母線２２との間に、中性点電流ｉｎを検出するための抵抗素子を追加した本実施形態を示す。
【０３６１】
図７８に本実施形態の駆動装置１０の回路構成を示す。図７８は、図７０に示す回路構成おいて、抵抗素子４０ｂおよび電圧センサ４７ｂを追加した構成になっている。
【０３６２】
抵抗素子４０ｂは、正極母線２２とバッテリ３ａのプラス電極との間に接続されている。抵抗素子４０ｂには、電流（−ｉｎ）が流れる。電圧センサ４７ｂは、抵抗素子４０ｂの一方の端子と他方の端子との間の電位差を検出する。図７８において、図７０と同一符号のものは、同一のものを示す。
【０３６３】
次に、本実施形態の電流算出処理について説明する。
【０３６４】
図７９〜図８６は６個のトランジスタのうちいずれか３つのトランジスタがオンしているインバータ回路およびステータコイルを示す概略図である。
【０３６５】
図７９はトランジスタＳＷ１、ＳＷ２、ＳＷ６がオンしている場合を示し、図８０はトランジスタＳＷ１、ＳＷ３、ＳＷ５がオンしている場合を示し、図８１はトランジスタＳＷ２、ＳＷ３、ＳＷ４がオンしている場合を示している。
【０３６６】
図８２はトランジスタＳＷ３、ＳＷ４、ＳＷ５がオンしている場合を示し、図８３はトランジスタＳＷ２、ＳＷ４、ＳＷ６がオンしている場合を示し、図８４はトランジスタＳＷ１、ＳＷ５、ＳＷ６がオンしている場合を示している。
【０３６７】
図８５はトランジスタＳＷ４、ＳＷ５、ＳＷ６がオンしている場合を示し、図８６はトランジスタＳＷ１、ＳＷ２、ＳＷ３がオンしている場合を示している。図７９〜図８６中電流Ｉａの流れる方向は矢印の方向を正とし、電流Ｉｂの流れる方向は矢印の方向を正とする。
【０３６８】
図７９〜図８４は６個のトランジスタのうちオフしている３つのトランジスタと６個のダイオードを省略している。図８５は６個のトランジスタのうちオフしている３つのトランジスタとダイオードＤ４、Ｄ５、Ｄ６を省略し、図８６は６個のトランジスタのうちオフしている３つのトランジスタとダイオードＤ１、Ｄ２、Ｄ３を省略している。
【０３６９】
制御回路５０は、図６８のフローチャートにしたがって、電流算出処理を実行する。以下、本実施形態の電流算出処理について上述の第８実施形態の電流算出処理との相違点について説明する。
【０３７０】
まず、６個のトランジスタのうちトランジスタＳＷ１、ＳＷ２、ＳＷ６がオンしている場合（図７９参照）、ステップＳ３５０において、抵抗素子４０ａに流れる電流Ｉａとして、Ｕ相電流ｉｕを取得する。電流Ｉａは、電圧センサ４７ａの検出電圧Ｖを抵抗素子４０ａの抵抗値Ｒで割り算した値（Ｖ／Ｒ）である。
また、ステップＳ３５１において、抵抗素子４０ｂに流れる電流Ｉｂとして、電流（−ｉｎ）を取得する。電流Ｉｂは、電圧センサ４７ｂの検出電圧Ｖを抵抗素子４０ｂの抵抗値Ｒで割り算した値（Ｖ／Ｒ）である。
【０３７１】
同様に、６個のトランジスタのうちトランジスタＳＷ１、ＳＷ３、ＳＷ５がオンしている場合には（図８０参照）、Ｖ相電流ｉｖを電流Ｉａとして取得して、電流（−ｉｎ）を電流Ｉｂとして取得する。さらに、６個のトランジスタのうちトランジスタＳＷ２、ＳＷ３、ＳＷ４がオンしている場合には（図８１参照）、Ｗ相電流ｉｗを電流Ｉａとして取得して、電流（−ｉｎ）を電流Ｉｂとして取得する。
【０３７２】
次に、６個のトランジスタのうちトランジスタＳＷ３、ＳＷ４、ＳＷ５がオンしている場合（図８２参照）、ステップＳ３９０において、抵抗素子４０ａに流れる電流Ｉａとして、電流（−（ｉｎ＋ｉｕ））を取得する。さらに、ステップＳ３９１において、抵抗素子４０ｂに流れる電流Ｉｂとして、電流（−ｉｎ）を取得する。
【０３７３】
これに加えて、ステップＳ４４８において、電流Ｉａとしての（−（ｉｎ＋ｉｕ））から電流Ｉｂとしての（−ｉｎ）を引いて電流（−ｉｕ）を求め、この電流（−ｉｕ）に（−１）を掛けてＵ相電流ｉｕを求める。
【０３７４】
同様に、６個のトランジスタのうちトランジスタＳＷ２、ＳＷ４、ＳＷ６がオンしている場合（図８３参照）、電流Ｉａとして、電流（−（ｉｎ＋ｉｖ））を取得する。さらに、電流Ｉｂとして、電流（−ｉｎ）を取得する。これに加えて、電流Ｉａとしての（−（ｉｎ＋ｉｖ））から電流Ｉｂとしての（−ｉｎ）を引いて電流（−ｉｖ）を求め、この電流（−ｉｖ）に（−１）を掛けてＶ相電流ｉｖを求める。
【０３７５】
さらに、６個のトランジスタのうちトランジスタＳＷ１、ＳＷ５、ＳＷ６がオンしている場合（図８４参照）、電流Ｉａとして、電流（−（ｉｎ＋ｉｗ））を取得する。さらに、電流Ｉｂとして、電流（−ｉｎ）を取得する。これに加えて、電流Ｉａとしての（−（ｉｎ＋ｉｗ））から電流Ｉｂとしての（−ｉｎ）を引いて電流（−ｉｗ）を求め、この電流（−ｉｗ）に（−１）を掛けてＷ相電流ｉｗを求める。
【０３７６】
次に、６個のトランジスタのうちトランジスタＳＷ４、ＳＷ５、ＳＷ６がオンしている場合（図８５参照）、ステップＳ４４３ａにおいて、抵抗素子４０ｂに流れる電流Ｉｂとして電流（−ｉｎ）を取得する。抵抗素子４０ａに流れる電流Ｉａは、電流Ｉｂと同一の電流である。
【０３７７】
次に、６個のトランジスタのうちトランジスタＳＷ１、ＳＷ２、ＳＷ３がオンしている場合（図８６参照）、ステップＳ４４７において、抵抗素子４０ｂに流れる電流Ｉｂとして電流（−ｉｎ）を取得する。抵抗素子４０ａに流れる電流Ｉａは、電流Ｉｂと同一の電流である。
【０３７８】
以上説明した本実施形態によれば、上述の第８実施形態と同様に、電流Ｉａとして、（−（ｉｎ＋ｉｕ））、（−（ｉｎ＋ｉｖ））、（−（ｉｎ＋ｉｗ））、ｉｕ、ｉｖ、ｉｗ、および（−ｉｎ）を取得し、さらに電流Ｉｂとしての電流（−ｉｎ）を取得することができる。これに加えて、ステップＳ４４８に進む毎に相電流ｉｕ、ｉｖ、ｉｗを取得することになる。
【０３７９】
上述の第１０実施形態では、相電流ｉｕ、ｉｖ、ｉｗを求めるために中性点電流ｉｎを用いた例を示したが、これに代えて、電流Ｉａ、Ｉｂとして求められた中性点電流ｉｎを用いて、上述の第６実施形態と同様、インバータ回路２０および三相交流同期電動機のうち一方に故障が生じているか否かを判定するようにしてもよい。
【０３８０】
（第１１実施形態）
上述の第７実施形態では、負極母線２１と直流電源３のマイナス電極とが互いに同電位になるように接続されている例について説明したが、これに代えて、コンデンサ３０のマイナス電極と直流電源３のマイナス電極とが互いに同電位になるように接続されている本実施形態について説明する。
【０３８１】
図８７に本実施形態の駆動装置１０の回路構成を示す。図８７は、図５０に示す回路構成おいて、コンデンサ３０のマイナス電極と直流電源３のマイナス電極とがグランドに接続されている。図８７において、図５０と同一の符号は同一のものを示す。
【０３８２】
次に、本実施形態の電流算出処理について説明する。
【０３８３】
図８８〜図９４は６個のトランジスタのうちいずれか３つのトランジスタがオンしているインバータ回路およびステータコイルを示す概略図である。
【０３８４】
図８８はトランジスタＳＷ１、ＳＷ２、ＳＷ６がオンしている場合を示し、図８９はトランジスタＳＷ１、ＳＷ３、ＳＷ５がオンしている場合を示し、図９０はトランジスタＳＷ２、ＳＷ３、ＳＷ４がオンしている場合を示している。図８８〜図９０中の電流Ｉａｘの流れる方向は矢印の方向を正とする。図８８〜図９０は６個のトランジスタのうちオフしている３つのトランジスタと６個のダイオードを省略している。
【０３８５】
図９１はトランジスタＳＷ３、ＳＷ４、ＳＷ５がオンしている場合を示し、図９２はトランジスタＳＷ２、ＳＷ４、ＳＷ６がオンしている場合を示し、図９３はトランジスタＳＷ１、ＳＷ５、ＳＷ６がオンしている場合を示している。図９１〜図９３中電流Ｉａｚの流れる方向は矢印の方向を正とする。図９１〜図９３は６個のトランジスタのうちオフしている３つのトランジスタと６個のダイオードを省略している。
【０３８６】
図９４はトランジスタＳＷ４、ＳＷ５、ＳＷ６がオンしている場合を示している。図９４中の電流Ｉａｙの流れる方向は矢印の方向を正とする。図８９は６個のトランジスタのうちオフしている３つのトランジスタとダイオードＤ４、Ｄ５、Ｄ６を省略している。
【０３８７】
制御回路５０は、図１１、図１２のフローチャートにしたがって、電流算出処理を実行する。本実施形態の電流算出処理は、上述の第１、９実施形態と同様であるため、本実施形態の電流算出処理の概略について説明する。
【０３８８】
まず、６個のトランジスタのうちトランジスタＳＷ１、ＳＷ２、ＳＷ６がオンしている場合（図８８参照）、抵抗素子４０ａに流れる電流ＩａｘとしてＵ相電流ｉｕを取得する。
【０３８９】
同様に、６個のトランジスタのうちトランジスタＳＷ１、ＳＷ３、ＳＷ５がオンしている場合（図８９参照）、Ｖ相電流ｉｖとして電流Ｉａｘを取得し、６個のトランジスタのうちトランジスタＳＷ２、ＳＷ３、ＳＷ４がオンしている場合（図９０参照）、Ｗ相電流ｉｗとして電流Ｉａｘを取得する。
【０３９０】
次に、６個のトランジスタのうちトランジスタＳＷ３、ＳＷ４、ＳＷ５がオンしている場合（図９１）、電流（−（ｉｎ＋ｉｕ））として電流Ｉａｚを取得する。
【０３９１】
同様に、６個のトランジスタのうちトランジスタＳＷ２、ＳＷ４、ＳＷ６がオンしている場合（図９２参照）、電流（−（ｉｎ＋ｉｖ））として電流Ｉａｚを取得し、６個のトランジスタのうちトランジスタＳＷ１、ＳＷ５、ＳＷ６がオンしている場合（図９３参照）、電流（−（ｉｎ＋ｉｗ））として電流Ｉａｚを取得する。
【０３９２】
次に、６個のトランジスタのうちトランジスタＳＷ４、ＳＷ５、ＳＷ６がオンしている場合（図９４参照）、電流（−ｉｎ）として電流Ｉａｙを取得する。
【０３９３】
上述の第１１実施形態では、抵抗素子８７および電圧センサ４７ａをコンデンサ３０のマイナス電極と負極母線２１との間に配置した例を示したが、これに加えて、中性点電流を検出するための抵抗素子（以下、追加抵抗素子という）および電圧センサ（以下、追加電圧センサという）を追加してもよい。
【０３９４】
ここで、追加抵抗素子および追加電圧センサは、直流電源３のプラス電極とステータコイル１の中性点１ｘとの間に接続してもよく、或いは、追加抵抗素子および追加電圧センサは、直流電源３のマイナス電極とコンデンサ３０のマイナス電極との間に接続してもよい。
【０３９５】
上述の第１１実施形態では、相電流ｉｕ、ｉｖ、ｉｗを求めるために中性点電流ｉｎを用いた例を示したが、これに代えて、電流Ｉａｙとして求められた中性点電流ｉｎを用いて、上述の第６実施形態と同様、インバータ回路２０および三相交流同期電動機のうち一方に故障が生じているか否かを判定するようにしてもよい。
【０３９６】
（第１２実施形態）
上述の第９実施形態では、正極母線２２を直流電源３のプラス電極に接続した例を示したが、これに代えて、コンデンサ３０のプラス電極を直流電源３のプラス電極に接続した本実施形態について説明する。
【０３９７】
図９５に本実施形態の駆動装置１０の回路構成を示す。図９５では、図７０に示す回路構成おいて、コンデンサ３０のプラス電極と直流電源３のプラス電極とが互いに同電位になるように接続されている。これに加えて、抵抗素子４０ａおよび電圧センサ４７ａが、コンデンサ３０のプラス電極と正極母線２２との間に接続されている。図９５において、図７０と同一符号のものは、同一のものを示す。
【０３９８】
次に、本実施形態の電流算出処理について説明する。
【０３９９】
図９６〜図１０２は６個のトランジスタのうちいずれか３つのトランジスタがオンしているインバータ回路およびステータコイルを示す概略図である。
【０４００】
図９６はトランジスタＳＷ１、ＳＷ２、ＳＷ６がオンしている場合を示し、図９７はトランジスタＳＷ１、ＳＷ３、ＳＷ５がオンしている場合を示し、図９８はトランジスタＳＷ２、ＳＷ３、ＳＷ４がオンしている場合を示している。図９６〜図９８中の電流Ｉａｘの流れる方向は矢印の方向を正とする。図９６〜図９８は６個のトランジスタのうちオフしている３つのトランジスタと６個のダイオードを省略している。
【０４０１】
図９９はトランジスタＳＷ３、ＳＷ４、ＳＷ５がオンしている場合を示し、図１００はトランジスタＳＷ２、ＳＷ４、ＳＷ６がオンしている場合を示し、図１０１はトランジスタＳＷ１、ＳＷ５、ＳＷ６がオンしている場合を示している。図９９〜図１０１中電流Ｉａｚの流れる方向は矢印の方向を正とする。図９９〜図１０１は６個のトランジスタのうちオフしている３つのトランジスタと６個のダイオードを省略している。
【０４０２】
図１０２はトランジスタＳＷ４、ＳＷ５、ＳＷ６がオンしている場合を示している。図１０２中の電流Ｉａｙの流れる方向は矢印の方向を正とする。図１０２は６個のトランジスタのうちオフしている３つのトランジスタとダイオードＤ１、Ｄ２、Ｄ３を省略している。
【０４０３】
制御回路５０は、図５８のフローチャートにしたがって、電流算出処理を実行する。本実施形態の電流算出処理は、上述の第７実施形態と同様であるため、本実施形態の電流算出処理の概略について説明する。
【０４０４】
まず、６個のトランジスタのうちトランジスタＳＷ１、ＳＷ２、ＳＷ６がオンしている場合（図９６参照）、抵抗素子４０ａに流れる電流Ｉａｘとして、電流（−（ｉｎ＋ｉｕ））を取得する。
【０４０５】
同様に、６個のトランジスタのうちトランジスタＳＷ１、ＳＷ３、ＳＷ５がオンしている場合（図９７参照）、電流Ｉａｘとして電流（−（ｉｎ＋ｉｖ））を取得し、６個のトランジスタのうちトランジスタＳＷ２、ＳＷ３、ＳＷ４がオンしている場合（図９８参照）、電流Ｉａｘとして電流（−（ｉｎ＋ｉｗ））を取得する。
【０４０６】
次に、６個のトランジスタのうちトランジスタＳＷ３、ＳＷ４、ＳＷ５がオンしている場合（図９９参照）、抵抗素子４０ａに流れる電流Ｉａｚとして、Ｕ相電流ｉｕを取得する。
【０４０７】
同様に、６個のトランジスタのうちトランジスタＳＷ２、ＳＷ４、ＳＷ６がオンしている場合（図１００参照）、抵抗素子４０ａに流れる電流ＩａｚとしてＶ相電流ｉｖを取得し、６個のトランジスタのうちトランジスタＳＷ１、ＳＷ５、ＳＷ６がオンしている場合（図１０１参照）には、抵抗素子４０ａに流れる電流ＩａｚとしてＷ相電流ｉｗを取得する。
【０４０８】
次に、６個のトランジスタのうちトランジスタＳＷ１、ＳＷ２、ＳＷ３がオンしている場合（図１０２参照）、電流（−ｉｎ）として電流Ｉａｙを取得する。
【０４０９】
（他の実施形態）
上述の第１実施形態では、抵抗素子４０ａに流れる電流として、（−（中性点電流ｉｎ））と（−（相電流＋中性点電流ｉｎ）とそれぞれを取得し、（−（中性点電流ｉｎ））を用いて（−（相電流＋中性点電流ｉｎ）のうち中性点電流ｉｎを消して相電流を求める例を示したが、これに代えて、次のようにしてもよい。
【０４１０】
すなわち、抵抗素子４０ａに流れる電流として、（−（中性点電流ｉｎ））とＵ相電流ｉｕとそれぞれを取得し、（−（中性点電流ｉｎ））とＵ相電流とから（ｉｎ＋ｉｕ）を求める。
【０４１１】
さらに、抵抗素子４０ａに流れる電流として、（−（中性点電流ｉｎ））とＶ相電流ｉｖとそれぞれを取得し、（−（中性点電流ｉｎ））とＶ相電流ｉｖとから（ｉｎ＋ｉｖ）を求める。
【０４１２】
抵抗素子４０ａに流れる電流として、（−（中性点電流ｉｎ））とＷ相電流ｉｗとそれぞれを取得し、（−（中性点電流ｉｎ））とＷ相電流ｉｗとから（ｉｎ＋ｉｗ）を求める。
【０４１３】
以上のように取得した、（−（中性点電流ｉｎ））に基づいて、（ｉｎ＋ｉｕ）、（ｉｎ＋ｉｖ）、（ｉｎ＋ｉｗ）を求め、これら電流（ｉｎ＋ｉｕ）、（ｉｎ＋ｉｖ）、（ｉｎ＋ｉｗ）を揃えて三相交流電流とする。当該三相交流電流（ｉｎ＋ｉｕ）、（ｉｎ＋ｉｖ）、（ｉｎ＋ｉｗ）を用いてインバータ回路２０を介して三相交流同期電動機を制御する。
【０４１４】
同様に、上述の第２〜第５実施形態において、抵抗素子４０ａ（４０ｂ、４０ｃ）に流れる電流としてそれぞれ取得した、（−（中性点電流ｉｎ））、Ｕ相電流ｉｕ、Ｖ相電流ｉｖ、Ｗ相電流ｉｗに基づいて、（ｉｎ＋ｉｕ）、（ｉｎ＋ｉｖ）、（ｉｎ＋ｉｗ）を求め、これら電流（ｉｎ＋ｉｕ）、（ｉｎ＋ｉｖ）、（ｉｎ＋ｉｗ）を揃えて三相交流電流とする。当該三相交流電流（ｉｎ＋ｉｕ）、（ｉｎ＋ｉｖ）、（ｉｎ＋ｉｗ）を用いてインバータ回路２０を介して三相交流同期電動機を制御する。
【０４１５】
上述の第１〜第６実施形態では、抵抗素子４０ａおよび電圧センサ４７ａから負極側電流検出手段を構成した例を示したが、これに代えて、電流を検出するためのホール素子により負極側電流検出手段を構成してもよい。
【０４１６】
上述の第１〜第６実施形態では、抵抗素子４０ｂおよび電圧センサ４７ｂから正極側電流検出手段を構成した例を示したが、これに代えて、電流を検出するためのホール素子により正極側電流検出手段を構成してもよい。
【０４１７】
上述の第７〜第１２実施形態では、抵抗素子４０ａおよび電圧センサ４７ａから電流検出手段を構成した例を示したが、これに代えて、電流を検出するためのホール素子により電流検出手段を構成してもよい。
【０４１８】
上述の第７〜第１０実施形態では、抵抗素子４０ａおよび電圧センサ４７ａをコンデンサ３０のマイナス電極と負極母線２１との間に接続した例を示したが、これに代えて、抵抗素子４０ａおよび電圧センサ４７ａをコンデンサ３０のプラス電極と正極母線２２との間に接続してもよい。
【０４１９】
上述の第８実施形態では、抵抗素子４０ｂおよび電圧センサ４７ｂから中性点電流検出手段を構成した例を示したが、これに代えて、電流を検出するためのホール素子により中性点電流検出手段を構成してもよい。
【０４２０】
上述の第１２実施形態では、抵抗素子８７および電圧センサ４７ａをコンデンサ３０のプラス電極と正極母線２２との間に配置した例を示したが、これに加えて、中性点電流を検出するための抵抗素子（以下、追加抵抗素子という）および電圧センサ（以下、追加電圧センサという）を追加してもよい。
【０４２１】
ここで、追加抵抗素子および追加電圧センサは、直流電源３のプラス電極とステータコイル１の中性点１ｘとの間に接続してもよく、或いは、追加抵抗素子および追加電圧センサは、直流電源３のプラス電極とコンデンサ３０のプラス電極との間に接続してもよい。
【０４２２】
上述の第１２実施形態では、相電流ｉｕ、ｉｖ、ｉｗを求めるために中性点電流ｉｎを用いた例を示したが、これに代えて、電流Ｉａｙとして求められた中性点電流ｉｎを用いて、上述の第６実施形態と同様、インバータ回路２０および三相交流同期電動機のうち一方に故障が生じているか否かを判定するようにしてもよい。
【０４２３】
上述の第１実施形態では、電流Ｉａｙとして取得された（−ｉｎ）と、電流Ｉａｚとして取得された（−（ｉｕ＋ｉｎ））、（−（ｉｖ＋ｉｎ））、（−（ｉｗ＋ｉｎ））とから、中性点電流ｉｎを含まない三相分の相電流ｉｕ、ｉｖ、ｉｗを求め、これら三相分の相電流ｉｕ、ｉｖ、ｉｗを用いてインバータ回路２０を介して三相交流同期電動機を駆動した例を示したが、これに代えて、次のようにしてもよい。
【０４２４】
中性点電流ｉｎと相電流ｉｕ、ｉｖ、ｉｗとを相毎に足した電流（ｉｕ＋ｉｎ）、（ｉｖ＋ｉｎ）、（ｉｗ＋ｉｎ）を三相分求め、この三相分の電流を三相分揃えて三相交流電流として、この三相交流電流を用いてインバータ回路２０を介して三相交流同期電動機を駆動してもよい。
【０４２５】
ここで、（１）電流（ｉｕ＋ｉｎ）、（ｉｖ＋ｉｎ）、（ｉｗ＋ｉｎ）としては、電流Ｉａｚとして取得された（−（ｉｕ＋ｉｎ））、（−（ｉｖ＋ｉｎ））、（−（ｉｗ＋ｉｎ））に対してそれぞれ（−１）を掛けて求めてもよく、或いは、（２）電流Ｉａｙとして取得された（−ｉｎ）と、電流Ｉａｘとして取得されたｉｕ、ｉｖ、ｉｗとを相毎に足して求めてもよい。
【０４２６】
同様に、上述の第２〜第５実施形態、および第７〜第１２実施形態において、中性点電流ｉｎと相電流ｉｕ、ｉｖ、ｉｗとを相毎に足した電流（ｉｕ＋ｉｎ）、（ｉｖ＋ｉｎ）、（ｉｗ＋ｉｎ）を三相分求め、この三相分の電流を用いてインバータ回路２０を介して三相交流同期電動機を駆動してもよい。
【０４２７】
この場合、抵抗素子４０ａ（或いは４０ｂ）に流れる電流として、（−（ｉｕ＋ｉｎ））、（−（ｉｖ＋ｉｎ））、（−（ｉｗ＋ｉｎ））が求められる場合には、上述の（１）と同様に、（−（ｉｕ＋ｉｎ））、（−（ｉｖ＋ｉｎ））、（−（ｉｗ＋ｉｎ））に対してそれぞれ（−１）を掛けて電流（ｉｕ＋ｉｎ）、（ｉｖ＋ｉｎ）、（ｉｗ＋ｉｎ）を求めてもよい。
【０４２８】
さらに、抵抗素子４０ａ（或いは４０ｂ）に流れる電流として、（ｉｕ＋ｉｎ）、（ｉｖ＋ｉｎ）、（ｉｗ＋ｉｎ）が求められる場合には、これら求められた電流（ｉｕ＋ｉｎ）、（ｉｖ＋ｉｎ）、（ｉｗ＋ｉｎ）を用いてインバータ回路２０を介して三相交流同期電動機を駆動してもよい。
【０４２９】
抵抗素子４０ａ（或いは４０ｂ）に流れる電流として、中性点電流ｉｎを含まない相電流ｉｕ、ｉｖ、ｉｗが求められる場合には、これら相電流ｉｕ、ｉｖ、ｉｗに中性点電流ｉｎを相毎に足して（ｉｕ＋ｉｎ）、（ｉｖ＋ｉｎ）、（ｉｗ＋ｉｎ）を求めてもよい。
【０４３０】
抵抗素子４０ａ（或いは４０ｂ）に流れる電流として、中性点電流ｉｎを含まない相電流（−ｉｕ）、（−ｉｖ）、（−ｉｗ）が求められる場合には、これら相電流（−ｉｕ）、（−ｉｖ）、（−ｉｗ）に（−１）を相毎に掛けて相電流ｉｕ、ｉｖ、ｉｗを求め、この求められた相電流ｉｕ、ｉｖ、ｉｗに中性点電流ｉｎを相毎に足して（ｉｕ＋ｉｎ）、（ｉｖ＋ｉｎ）、（ｉｗ＋ｉｎ）を求めてもよい。
【符号の説明】
【０４３１】
１      ステータコイル
３      直流電源
３ａ    バッテリ
３ｂ    コンデンサ
７      電子制御装置
１０    駆動装置
２０    インバータ回路
２１    負極母線
２２    正極母線
３０    コンデンサ
４０ａ  抵抗素子
４０ｂ  抵抗素子
４０ｃ  抵抗素子
４７ａ  電圧センサ
５０    制御回路
【図１】
2010193699.tif 000003
【図２】
2010193699.tif 000004
【図３】
2010193699.tif 000005
【図４】
2010193699.tif 000006
【図５】
2010193699.tif 000007
【図６】
2010193699.tif 000008
【図７】
2010193699.tif 000009
【図８】
2010193699.tif 000010
【図９】
2010193699.tif 000011
【図１０】
2010193699.tif 000012
【図１１】
2010193699.tif 000013
【図１２】
2010193699.tif 000014
【図１３】
2010193699.tif 000015
【図１４】
2010193699.tif 000016
【図１５】
2010193699.tif 000017
【図１６】
2010193699.tif 000018
【図１７】
2010193699.tif 000019
【図１８】
2010193699.tif 000020
【図１９】
2010193699.tif 000021
【図２０】
2010193699.tif 000022
【図２１】
2010193699.tif 000023
【図２２】
2010193699.tif 000024
【図２３】
2010193699.tif 000025
【図２４】
2010193699.tif 000026
【図２５】
2010193699.tif 000027
【図２６】
2010193699.tif 000028
【図２７】
2010193699.tif 000029
【図２８】
2010193699.tif 000030
【図２９】
2010193699.tif 000031
【図３０】
2010193699.tif 000032
【図３１】
2010193699.tif 000033
【図３２】
2010193699.tif 000034
【図３３】
2010193699.tif 000035
【図３４】
2010193699.tif 000036
【図３５】
2010193699.tif 000037
【図３６】
2010193699.tif 000038
【図３７】
2010193699.tif 000039
【図３８】
2010193699.tif 000040
【図３９】
2010193699.tif 000041
【図４０】
2010193699.tif 000042
【図４１】
2010193699.tif 000043
【図４２】
2010193699.tif 000044
【図４３】
2010193699.tif 000045
【図４４】
2010193699.tif 000046
【図４５】
2010193699.tif 000047
【図４６】
2010193699.tif 000048
【図４７】
2010193699.tif 000049
【図４８】
2010193699.tif 000050
【図４９】
2010193699.tif 000051
【図５０】
2010193699.tif 000052
【図５１】
2010193699.tif 000053
【図５２】
2010193699.tif 000054
【図５３】
2010193699.tif 000055
【図５４】
2010193699.tif 000056
【図５５】
2010193699.tif 000057
【図５６】
2010193699.tif 000058
【図５７】
2010193699.tif 000059
【図５８】
2010193699.tif 000060
【図５９】
2010193699.tif 000061
【図６０】
2010193699.tif 000062
【図６１】
2010193699.tif 000063
【図６２】
2010193699.tif 000064
【図６３】
2010193699.tif 000065
【図６４】
2010193699.tif 000066
【図６５】
2010193699.tif 000067
【図６６】
2010193699.tif 000068
【図６７】
2010193699.tif 000069
【図６８】
2010193699.tif 000070
【図６９】
2010193699.tif 000071
【図７０】
2010193699.tif 000072
【図７１】
2010193699.tif 000073
【図７２】
2010193699.tif 000074
【図７３】
2010193699.tif 000075
【図７４】
2010193699.tif 000076
【図７５】
2010193699.tif 000077
【図７６】
2010193699.tif 000078
【図７７】
2010193699.tif 000079
【図７８】
2010193699.tif 000080
【図７９】
2010193699.tif 000081
【図８０】
2010193699.tif 000082
【図８１】
2010193699.tif 000083
【図８２】
2010193699.tif 000084
【図８３】
2010193699.tif 000085
【図８４】
2010193699.tif 000086
【図８５】
2010193699.tif 000087
【図８６】
2010193699.tif 000088
【図８７】
2010193699.tif 000089
【図８８】
2010193699.tif 000090
【図８９】
2010193699.tif 000091
【図９０】
2010193699.tif 000092
【図９１】
2010193699.tif 000093
【図９２】
2010193699.tif 000094
【図９３】
2010193699.tif 000095
【図９４】
2010193699.tif 000096
【図９５】
2010193699.tif 000097
【図９６】
2010193699.tif 000098
【図９７】
2010193699.tif 000099
【図９８】
2010193699.tif 000100
【図９９】
2010193699.tif 000101
【図１００】
2010193699.tif 000102
【図１０１】
2010193699.tif 000103
【図１０２】
2010193699.tif 000104